(57)【要約】【課題】  従来の遊技機における図柄の立体感を出す演出は、見慣れると単調なものであり、また、非常に視認しづらいものであった。【解決手段】  画像制御ＣＰＵ８１は、一般遊技状態で「スイカ」の小役が当籤役として決定されると、「演出Ｆ」〜「演出Ｈ」のいずれかの演出識別子を決定し（Ｓ４０５、図１４（ｂ）参照）、決定した演出識別子に応じた立体視画像１１５を液晶パネル１１０に表示する（図４参照）。続いて、ウィンドウ移動フラグを“オン”にする（Ｓ４０６）。ウィンドウ移動フラグが“オン”になると、赤ウィンドウ１１１および青ウィンドウ１１２が移動開始位置Ａから移動終了位置Ｂまで移動する（図３０，Ｓ４１３参照）。このとき、立体視画像１１５を、赤ウィンドウ１１１を介して左目で見ると同時に、青ウィンドウ１１２を介して右目で見ることで、遊技者は立体感を得ることができる。【選択図】  図２９
2009201551.tif 000002
【特許請求の範囲】
【請求項１】
複数の図柄を表示する図柄表示手段と、
乱数を発生させる乱数発生手段と、
単位遊技の開始操作の検出を行う開始操作検出手段と、
この開始操作検出手段により行なわれる開始操作の検出に基づいて、前記乱数発生手段によって発生される乱数の中から任意の乱数を抽出する乱数抽出手段と、
この乱数抽出手段により抽出された一の乱数が属する数値範囲に基づいて単位遊技における当籤役を決定し、前記一の乱数が予め設定された数値範囲に属する場合には、複数の当籤役を同時に当籤役として決定する当籤役決定手段と、
前記開始操作検出手段により行なわれる開始操作の検出に基づいて、前記図柄表示手段により表示される図柄の変動を行なう図柄変動手段と、
この図柄変動手段による図柄の変動を停止させる停止操作の検出を行う停止操作検出手段と、
前記当籤役決定手段により決定された当籤役と前記停止操作検出手段により行なわれる停止操作の検出とに基づいて、前記図柄変動手段により行われる図柄の変動を停止させる制御を行う停止制御手段と、
この停止制御手段により前記図柄表示手段に停止表示された図柄の組合わせに応じて遊技者に遊技媒体を付与する遊技媒体付与手段と、
前記当籤役決定手段により遊技者に有利な特典遊技に対応する特典役が決定されて、この特典役に対応する図柄の組合わせが前記停止制御手段により前記図柄表示手段に停止表示されると、前記特典遊技を作動させる特典遊技作動手段と、
演出画像を表示する画像表示装置と、
この画像表示装置の手前左側部分に移動自在に設けられ、所定の色に着色されて透光性を有する第１の扉と、
前記画像表示装置の手前右側部分に移動自在に設けられ、前記所定の色と余色関係にある他の色に着色されて透光性を有する第２の扉と、
前記特典役と同時に当籤役として決定されることがある所定の役が前記当籤役決定手段によって当籤役として決定されると、前記所定の色で描かれる前記所定の役を示唆する第１の画像と、前記他の色で描かれる前記所定の役を示唆する第２の画像とが重なった、余色法による立体視画像を前記画像表示装置に表示させる制御を行う表示制御手段と、
前記所定の役が前記当籤役決定手段によって当籤役として決定されると、前記第１の扉および前記第２の扉を移動させて、前記表示制御手段によって前記画像表示装置に表示される前記立体視画像の左側部分および右側部分を前記第１の扉および前記第２の扉によって遮蔽する制御を行う扉移動手段と
を備えていることを特徴とする遊技機。
【請求項２】
遊技媒体を消費することなく次の単位遊技を行える再遊技役が前記当籤役決定手段により当籤役として決定される確率が他の単位遊技に比べて高い単位遊技が行われる再遊技高確率発生状態を作動させる再遊技高確率発生状態作動手段を備え、
前記表示制御手段は、前記再遊技高確率発生状態作動手段によって前記再遊技高確率発生状態が作動させられているときに前記所定の役が前記当籤役決定手段によって当籤役として決定されると、前記立体視画像を前記画像表示装置に表示させる制御を行い、
前記扉移動手段は、前記再遊技高確率発生状態作動手段によって前記再遊技高確率発生状態が作動させられているときに前記所定の役が前記当籤役決定手段によって当籤役として決定されると、前記第１の扉および前記第２の扉を移動させて、前記表示制御手段によって前記画像表示装置に表示される前記立体視画像の左側部分および右側部分を前記第１の扉および前記第２の扉によって遮蔽する制御を行うことを特徴とする請求項１に記載の遊技機。
【発明の詳細な説明】
【技術分野】
【０００１】
本発明は、図柄表示手段により表示される図柄の変動を行う遊技機に関するものである。
【背景技術】
【０００２】
従来、このような遊技機としては、例えば下記の特許文献１に開示される遊技機がある。この遊技機の前面パネルには、３個の回転ドラムが設けられている。各回転ドラムの外周面には、図柄が描かれた透明または半透明の図柄フィルムと、この図柄フィルムの表面に一体化して表面が凹凸形状に形成された凹凸保護フィルムとからなるフィルムが貼られている。図柄フィルム上に描かれた図柄は、光の屈折率によって、色変化して見えるサークル印刷や形状が変化して見える３Ｄ印刷、立体的に見えるステレオ印刷などにより描かれている。この遊技機によれば、回転ドラムが回転すると、凹凸保護フィルムに形成されたレンズの回転移動に伴い、凹凸保護フィルムのレンズを介して視認される図柄フィルム上の図柄が、サークル印刷の場合には色が変化して見え、３Ｄ印刷の場合には形状が変化して見え、ステレオ印刷の場合には立体的に見えるようになり、遊技者に対して斬新さを与え、娯楽性の向上を図っている。
【特許文献１】特開２００１−８７４４９号公報（段落[００１５]〜[００２１]）
【発明の開示】
【発明が解決しようとする課題】
【０００３】
しかしながら、上記従来の遊技機は、回転ドラムの回転時に図柄の色や形状や立体感が変化して視認されるようになるが、このような図柄の変化による演出は、見慣れてしまった遊技者にとっては単調なものとなり、遊技者を遊技に長く引きつけておくことができるものではなかった。
【０００４】
また、上記従来の遊技機における図柄の変化は、回転ドラムの回転時には非常に視認しづらいものである。このため、遊技者は、このような図柄の変化を見ることで疲労がたまりやすくなり、長時間の遊技を行えなくなることがある。
【課題を解決するための手段】
【０００５】
本発明はこのような課題を解決するためになされたもので、
複数の図柄を表示する図柄表示手段と、
乱数を発生させる乱数発生手段と、
単位遊技の開始操作の検出を行う開始操作検出手段と、
この開始操作検出手段により行なわれる開始操作の検出に基づいて、乱数発生手段によって発生される乱数の中から任意の乱数を抽出する乱数抽出手段と、
この乱数抽出手段により抽出された一の乱数が属する数値範囲に基づいて単位遊技における当籤役を決定し、一の乱数が予め設定された数値範囲に属する場合には、複数の当籤役を同時に当籤役として決定する当籤役決定手段と、
開始操作検出手段により行なわれる開始操作の検出に基づいて、図柄表示手段により表示される図柄の変動を行なう図柄変動手段と、
この図柄変動手段による図柄の変動を停止させる停止操作の検出を行う停止操作検出手段と、
当籤役決定手段により決定された当籤役と停止操作検出手段により行なわれる停止操作の検出とに基づいて、図柄変動手段により行われる図柄の変動を停止させる制御を行う停止制御手段と、
この停止制御手段により図柄表示手段に停止表示された図柄の組合わせに応じて遊技者に遊技媒体を付与する遊技媒体付与手段と、
当籤役決定手段により遊技者に有利な特典遊技に対応する特典役が決定されて、この特典役に対応する図柄の組合わせが停止制御手段により図柄表示手段に停止表示されると、特典遊技を作動させる特典遊技作動手段と、
演出画像を表示する画像表示装置と、
この画像表示装置の手前左側部分に移動自在に設けられ、所定の色に着色されて透光性を有する第１の扉と、
画像表示装置の手前右側部分に移動自在に設けられ、所定の色と余色関係にある他の色に着色されて透光性を有する第２の扉と、
特典役と同時に当籤役として決定されることがある所定の役が当籤役決定手段によって当籤役として決定されると、所定の色で描かれる所定の役を示唆する第１の画像と、他の色で描かれる所定の役を示唆する第２の画像とが重なった、余色法による立体視画像を画像表示装置に表示させる制御を行う表示制御手段と、
所定の役が当籤役決定手段によって当籤役として決定されると、第１の扉および第２の扉を移動させて、表示制御手段によって画像表示装置に表示される立体視画像の左側部分および右側部分を第１の扉および第２の扉によって遮蔽する制御を行う扉移動手段と
を備えて遊技機を構成した。
【０００６】
この構成によれば、特典役と同時に当籤役として決定されることがある所定の役が当籤役決定手段によって当籤役として決定されると、所定の色で描かれる所定の役を示唆する第１の画像と他の色で描かれる所定の役を示唆する第２の画像とが重なった余色法による立体視画像が、表示制御手段によって画像表示装置に表示されると共に、扉移動手段により、第１の扉および第２の扉が移動し、表示制御手段によって画像表示装置に表示される立体視画像の左側部分および右側部分が第１の扉および第２の扉によって遮蔽される。このため、遊技者は、立体視画像が画像表示装置に表示され、かつ、第１の扉および第２の扉が移動することを認識することで、所定の役が当籤役として決定されていることを直ちに察知することができ、所定の役と同時に特典役が当籤役として決定されているかもしれないという期待感を抱きながら遊技を進めることができるようになる。
【０００７】
また、表示制御手段によって画像表示装置に表示される立体視画像を第１の扉を介して見ると、所定の色で描かれる第１の画像が第１の扉に吸収されて視認されなくなり、他の色で描かれる第２の画像だけが視認されるようになる。また、表示制御手段によって画像表示装置に表示される立体視画像を第２の扉を介して見ると、他の色で描かれる第２の画像が第２の扉に吸収されて視認されなくなり、所定の色で描かれる第１の画像だけが視認されるようになる。このため、遊技者は、立体視画像が画像表示装置に表示され、かつ、第１の扉および第２の扉が移動することを認識したときには、左側の第１の扉を介して左目で立体視画像を見ると同時に、右側の第２の扉を介して右目で立体視画像を見ることにより、左右の目に第２の画像および第１の画像が映り、余色法による立体視画像を立体感を得た状態で見ることができる。したがって、遊技者に対して、立体視画像によるインパクトのある演出を行えるようになり、従来の遊技機のように演出が単調になってしまうことがなくなり、遊技者を遊技に長く引きつけておくことが可能になる。
【０００８】
また、上記のインパクトのある演出表示は、遊技者が所望のときに第１の扉および第２の扉を介して見るので、従来のように、遊技結果に影響を与えて遊技者が常に視認する必要がある図柄表示手段において変動表示される図柄を用いた演出ではないため、遊技者は、演出表示を見ることで疲労がたまってしまうことがなくなり、長時間でも遊技を行えるようになる。
【０００９】
また、本発明は、
遊技媒体を消費することなく次の単位遊技を行える再遊技役が当籤役決定手段により当籤役として決定される確率が他の単位遊技に比べて高い単位遊技が行われる再遊技高確率発生状態を作動させる再遊技高確率発生状態作動手段を備え、
表示制御手段が、再遊技高確率発生状態作動手段によって再遊技高確率発生状態が作動させられているときに所定の役が当籤役決定手段によって当籤役として決定されると、立体視画像を画像表示装置に表示させる制御を行い、
扉移動手段が、再遊技高確率発生状態作動手段によって再遊技高確率発生状態が作動させられているときに所定の役が当籤役決定手段によって当籤役として決定されると、第１の扉および第２の扉を移動させて、表示制御手段によって画像表示装置に表示される立体視画像の左側部分および右側部分を第１の扉および第２の扉によって遮蔽する制御を行うことを特徴とする。
【００１０】
この構成によれば、再遊技高確率発生状態作動手段によって再遊技高確率発生状態が作動させられているときに、特典役と同時に当籤役として決定されることがある所定の役が当籤役決定手段によって当籤役として決定されると、余色法による立体視画像が表示制御手段によって画像表示装置に表示されると共に、扉移動手段により、立体視画像の左側部分および右側部分が第１の扉および第２の扉によって遮蔽される。このため、当籤役決定手段によって再遊技役が頻繁に当籤役として決定されることで単調になりがちな再遊技高確率発生状態の作動中であっても、所定の役が当籤役として決定されたときには、第１の扉および第２の扉を介して立体視画像を立体的に見ることができるようになり、再遊技高確率発生状態作動中の遊技の単調化が抑制されて、再遊技高確率発生状態作動中の遊技の興趣が向上するようになる。
【発明の効果】
【００１１】
本発明による遊技機によれば、上記のように、遊技者は、立体視画像が画像表示装置に表示され、第１の扉および第２の扉が移動することを認識することで、所定の役が当籤役として決定されていることを直ちに察知することができ、所定の役と同時に特典役が当籤役として決定されているかもしれないという期待感を抱きながら遊技を進めることができるようになる。また、遊技者に対して、立体視画像によるインパクトのある演出を行えるようになり、従来の遊技機のように演出が単調になってしまうことがなくなり、遊技者を遊技に長く引きつけておくことが可能になる。また、遊技者は、演出表示を見ることで疲労がたまってしまうことがなくなり、長時間でも遊技を行えるようになる。
【発明を実施するための最良の形態】
【００１２】
次に、本発明を実施するための最良の形態について説明する。
【００１３】
図１は本実施形態によるパチスロ機１の外観を示す正面図である。
【００１４】
パチスロ機１の本体中央部の筐体内部には３個のリール２，３，４が回転自在に設けられている。各リール２〜４の外周面には複数種類の図柄（以下、シンボルという）から成るシンボル列が描かれている。これら各リール２〜４の前部にはリール表示窓部３９が設けられており、このリール表示窓部３９に形成された表示窓５，６，７を通して、各リール２〜４の外周面に描かれたシンボルがそれぞれ３個ずつ観察される。リール２〜４および表示窓５〜７は、複数のシンボルを３列に表示する図柄表示手段を構成している。
【００１５】
リール２〜４の前部のリール表示窓部３９には、同図に示すように横３本と斜め２本の計５本の入賞ラインが設けられている。また、表示窓５〜７の下方右側には、遊技者が遊技媒体であるメダルを投入するための投入口８が設けられている。ゲーム開始に先立って、遊技者が投入口８からメダルを投入すると、図２に示すように、Ｌ１（センターライン），Ｌ２Ａ（トップライン），Ｌ２Ｂ（ボトムライン），Ｌ３Ａ（クロスダウンライン），およびＬ３Ｂ（クロスアップライン）の全ての入賞ラインが一斉に有効化される。なお、同図における丸印は各リール２〜４上に描かれたシンボルを表している。以降、有効化された入賞ラインを有効化入賞ラインという。本実施形態のパチスロ機１では、メダル３枚賭けもしくは２枚賭けで遊技が行なわれる構成になっており、メダルを１枚投入すると全ての入賞ラインが一斉に有効化されるが、遊技を開始させることはできない。
【００１６】
リール表示窓部３９の上部には、演出画像などの種々の情報が表示される液晶パネル１１０が筐体の奥の方に設けられている。この液晶パネル１１０の手前左側部分には、赤色に着色されて透光性を有する赤ウィンドウ１１１、液晶パネル１１０の手前右側部分には、青色に着色されて透光性を有する青ウィンドウ１１２が、液晶パネル１１０から所定の距離だけ離れて設けられている。これら各ウィンドウ１１１，１１２は、それぞれ図示しないステッピングモータが駆動制御されることにより、液晶パネル１１０の手前側を左右方向に自在に移動するようになっている。
【００１７】
通常時においては、同図に破線で示すように、赤ウィンドウ１１１の一部および青ウィンドウ１１２の一部がそれぞれウィンドウ収納部１１１Ａおよび１１２Ａに収納されており、液晶パネル１１０が直接視認される状態になっているが、後述するように所定の役が当籤役として決定されると、上述したステッピングモータの駆動により、各ウィンドウ１１１，１１２が矢示する方向に移動し、液晶パネル１１０が各ウィンドウ１１１，１１２によって遮蔽される。液晶パネル１１０が各ウィンドウ１１１，１１２によって遮蔽されると、液晶パネル１１０に表示される演出画像などの種々の情報は、各ウィンドウ１１１，１１２を介して視認されるようになる。
【００１８】
液晶パネル１１０は、演出画像を表示する画像表示装置を構成している。赤ウィンドウ１１１は、液晶パネル１１０の手前左側部分に移動自在に設けられ、赤色に着色されて透光性を有する第１の扉を構成している。また、青ウィンドウ１１２は、液晶パネル１１０の手前右側部分に移動自在に設けられ、赤色と余色（補色）関係にある青色に着色されて透光性を有する第２の扉を構成している。
【００１９】
また、表示窓５〜７の左方の機器前面パネル３８には、上部から、遊技動作表示器９〜１２、メダル投入枚数表示ランプ（ベットランプ）１３〜１５、貯留枚数表示部１６、およびスタートランプ１７が設けられている。各表示器９〜１２およびベットランプ１３〜１５は遊技状況に応じて点灯制御され、その時の遊技状況やメダルの投入枚数が遊技者に通知される。貯留枚数表示部１６は、３桁の７セグメントＬＥＤ（発光ダイオード）からなり、機械内部に現在クレジットされているメダル数を表示する。スタートランプ１７は各リール２〜４が作動可能な時に点滅する。
【００２０】
また、表示窓５〜７の右方の機器前面パネル３８には、上部から、ボーナスカウント表示部１８、ＷＩＮランプ１９、配当枚数表示部２０、およびインサートランプ２１が設けられている。ボーナスカウント表示部１８は、３桁の７セグメントＬＥＤからなり、ボーナスゲーム作動時に、後述するＲＢ（レギュラーボーナス）ゲームの残り入賞可能回数などをデジタル表示する。ＷＩＮランプ１９は、後述する「ＢＢ１」または「ＢＢ２」の内部当籤役（当籤役）が決定されると点灯する。配当枚数表示部２０は、３桁の７セグメントＬＥＤからなり、入賞によるメダル払い出し枚数などを表示する。インサートランプ２１は投入口８にメダルの投入が受付可能な時に点灯する。
【００２１】
左方の機器前面パネル３８の下方には、選択ボタン２３、決定ボタン２４、１貯留メダル投入ボタン２６、２貯留メダル投入ボタン２７、および３貯留メダル投入ボタン２８が設けられている。選択ボタン２３は、液晶パネル１１０に表示する情報を、液晶パネル１１０に表示されるメニュー画面などに従って選択する際に操作され、決定ボタン２４は、選択ボタン２３で選択した情報を決定する際や液晶パネル１１０に表示させる際などに操作される。また、貯留メダル投入ボタン２６〜２８は、貯留枚数表示部１６にメダル数が表示されてクレジットされている際に、投入口８へのメダル投入に代えて１回のゲームに１枚〜３枚のメダルを賭ける際に使用される。
【００２２】
また、リール表示窓部３９の下方には、左側から、貯留メダル精算ボタン２９、スタートレバー３０、および停止ボタン（ストップボタン）３１，３２，３３が設けられている。貯留メダル精算ボタン２９は、機械内部にメダルをクレジットして遊技を行うか各単位遊技毎に投入口８にメダルを投入して遊技を行うかを切り替える際と、機械内部にクレジットされている全てのメダルを払い出して精算する際とに使用される。スタートレバー３０の操作により各リール２〜４の回転が一斉に開始する。スタートレバー３０は、単位遊技を開始させる開始操作手段を構成している。停止ボタン３１〜３３は各リール２〜４に対応して配置されており、これら各リール２〜４の回転が一定速度に達したときに停止ボタン３１〜３３の操作は有効になる。各リール２〜４の回転は、有効になった停止ボタン３１〜３３に対する遊技者の停止操作に応じて停止する。
【００２３】
また、パチスロ機１の正面下部にはメダル受皿３４が設けられている。このメダル受皿３４はメダル払出口３５から払い出されるメダルを貯めるものである。また、メダル払出口３５の両側には、一対のスピーカカバー９６，９６が設けられており、各スピーカカバー９６，９６の背後の筐体内部には後述するスピーカが内蔵されている。
【００２４】
また、パチスロ機１の筐体内部には、出玉率の設定値を設定する際に操作される図示しない設定ボタンおよびリセットボタンが設けられている。ここで、出玉率とは、パチスロ機１に投入されたメダルの総枚数に対する払い出されたメダルの総枚数の割合を示すものである。本実施形態では、出玉率の設定値として、“１”，“４”，“６”，“Ｈｉｇｈ”の４つの値が用意されており、設定ボタンが操作されると、リセットボタンが１回操作される度に配当枚数表示部２０に表示される出玉率の設定値が“１”，“４”，“６”，“Ｈｉｇｈ”の順に繰り上がり、出玉率の設定値が“Ｈｉｇｈ”の状態で更にリセットボタンが操作されると、出玉率の設定値が“１”に戻る。
【００２５】
各リール２〜４は図３（ａ）に示す回転リールユニットとして構成されており、フレーム４１にブラケット４２を介して取り付けられている。各リール２〜４はリールドラム４３の外周にリール帯４４が貼られて構成されている。リール帯４４の外周面にはシンボル列が描かれている。また、各ブラケット４２にはステッピングモータ４５が設けられており、各リール２〜４はこれらステッピングモータ４５が駆動されて回転する。
【００２６】
各リール２〜４の構造は同図（ｂ）に示される。リール帯４４の背後のリールドラム４３内部にはランプケース４６が設けられており、このランプケース４６の３個の各部屋にはそれぞれリールバックランプ４７ａ，４７ｂ，４７ｃが取り付けられている。これらリールバックランプ４７ａ〜４７ｃは、異なる複数の色を発光するＬＥＤ４７が基板４８に取り付けられて構成されており、基板４８はランプケース４６の背面に取り付けられている。また、ブラケット４２にはホトセンサ４９が取り付けられている。このホトセンサ４９は、リールドラム４３に設けられた遮蔽板５０がリールドラム４３の回転に伴ってホトセンサ４９を通過するのを検出する。
【００２７】
各リールバックランプ４７ａ〜４７ｃの点灯により、リール帯４４に描かれたシンボルの内、各リールバックランプ４７ａ〜４７ｃの前部に位置する３個のシンボルが背後から個別に照らし出され、各表示窓５〜７にそれぞれ３個ずつのシンボルが映し出される。
【００２８】
図４は、上述した液晶パネル１１０が赤ウィンドウ１１１および青ウィンドウ１１２によって遮蔽された状態を示している。
【００２９】
赤ウィンドウ１１１および青ウィンドウ１１２の機器中央寄りの垂直辺は、いずれも、図１に示す位置すなわち図４に示す移動開始位置Ａから、液晶パネル１１０の中央部の移動終了位置Ｂに向かって移動して、同図に示すように液晶パネル１１０を遮蔽する。また、液晶パネル１１０には、後述するスイカの小役を示唆する、同図において実線で示す赤色のスイカの絵柄１１３および同図において破線で示す青色のスイカの絵柄１１４が重なって構成される立体視画像１１５が表示される。赤色のスイカの絵柄１１３および青色のスイカの絵柄１１４は、所定の役を構成する「スイカ」の小役を示唆する第１の画像および第２の画像を構成している。同図に示すように、各ウィンドウ１１１，１１２が液晶パネル１１０を遮蔽した状態で、液晶パネル１１０に立体視画像１１５が表示されているときには、赤色のスイカの絵柄１１３が、赤ウィンドウ１１１によって吸収されて視認されない状態となり、また、青色のスイカの絵柄１１４が、青ウィンドウ１１２によって吸収されて視認されない状態となる。この結果、赤色のスイカの絵柄１１３および青色のスイカの絵柄１１４からなる立体視画像１１５を、赤ウィンドウ１１１を介して左目で見ると同時に青ウィンドウ１１２を介して右目でみることで、余色法により、立体感のあるスイカの絵柄が視認される。なお、余色法とは、赤色および青色といった余色（補色）関係にある異なる色で構成される２つの画像が重なって構成される画像を、片目が赤セロハン、他方の目が青セロハンで構成されるメガネなどを用いて左右の目で見ることにより、立体感を得ることである。
【００３０】
本実施形態におけるパチスロ機１の遊技状態には、「一般遊技状態」および「ＲＢ（レギュラーボーナス）遊技状態」がある。これらの各遊技状態は、基本的に、内部当籤する可能性のある役の種類などにより区別される。
【００３１】
「一般遊技状態」は、パチスロ機１に電源が投入された直後における遊技状態であり、後述する内部抽籤処理において全ての役が決定される遊技状態である。
【００３２】
「ＲＢ遊技状態」は、後述する内部抽籤処理において小役（赤チェリー、青チェリー、ベルおよびスイカ）のみが内部当籤役として決定される遊技状態であり、各小役の当籤確率が全般的に高くなると共に、特に、小役のうちベルの当籤確率が高くなる遊技状態である。この「ＲＢ遊技状態」ではＲＢゲームが行なわれ、１回のＲＢゲームは、遊技可能回数である１２回の単位遊技が行われるか、または、入賞可能回数である８回の入賞が成立すると、終了する。
【００３３】
遊技者に有利な特典遊技を構成するＢＢゲームの作動中は、遊技状態が「ＲＢ遊技状態」となる。ＢＢゲームは、複数回のＲＢゲームから構成され、ＢＢゲームに対応するＢＢ１またはＢＢ２の当籤役が特典役として決定されて、このＢＢ１またはＢＢ２に対応するシンボルの組合わせが何れかの有効化入賞ライン上に停止表示されて表示役が成立すると、作動する。ＢＢゲームの作動中には、ＲＢゲームが連続して複数回作動するが、作動してからのメダルの総払出枚数が３００枚に達すると、繰り返して実行されるＲＢゲームが中断されて、ＢＢゲームは終了する。
【００３４】
ＢＢ１またはＢＢ２が当籤役として決定されたときにセットされるボーナス当たり要求フラグは、フラグが立てられた以降の単位遊技に持ち越され、ＢＢ１またはＢＢ２のシンボルの組合わせが有効化入賞ライン上に停止表示されてボーナスが実際に成立すると、ボーナス当たり要求フラグはクリアされる。ＢＢ１またはＢＢ２のボーナスが持ち越されている一般遊技状態は、内部当籤状態（持越状態）と呼ばれる。また、ボーナス当たり要求フラグ以外の当籤要求フラグは、フラグが立てられた単位遊技においてのみ有効であり、その単位遊技終了時にはクリアされて次遊技以降には持ち越されない。なお、内部当籤役を持ち越すとは、後述する内部抽籤処理で決定された内部当籤役としての機能を次回以降の単位遊技において発揮できるようにすれば足り、種々の態様に適宜変更可能である。ここで、単位遊技とは、遊技者のスタートレバー３０に対する操作に応じてリール２〜４が回転してから、遊技者の停止ボタン３１〜３３に対する操作に応じてリール２〜４の回転が停止し、この際に有効化入賞ライン上に揃ったシンボルの組合わせに応じたメダルの払い出しが行われるまでか、次回のゲームの開始が許可される（次回のゲームが始まる）前までのことである。
【００３５】
図５および図６は、上述したパチスロ機１の遊技処理動作を制御するメイン制御基板６１およびサブ制御基板６２ａ，６２ｂに構成された回路構成を示している。メイン制御基板６１には主制御回路が構成されており、サブ制御基板６２ａには画像制御回路（ｇＳｕｂ）、サブ制御基板６２ｂには音・ランプ制御回路（ｍＳｕｂ）が構成されている。
【００３６】
図５に示すメイン制御基板６１における制御部はマイクロコンピュータ（以下、マイコンという）６３を主な構成要素とし、これに乱数サンプリングのための回路を加えて構成されている。マイコン６３は、予め設定されたプログラムに従って制御動作を行うメインＣＰＵ（中央演算処理装置）６４と、プログラム記憶手段であるプログラムＲＯＭ（リード・オンリ・メモリ）６５およびバックアップ機能付き制御ＲＡＭ（ランダム・アクセス・メモリ）６６とを含んで構成されている。メインＣＰＵ６４には、基準クロックパルスを発生するクロックパルス発生回路６７および分周器６８と、一定範囲の乱数を発生する乱数発生器６９、および発生した乱数の１つを特定するサンプリング回路７０とが接続されている。さらに、メインＣＰＵ６４には、後述する周辺装置（アクチュエータ）との間で信号を授受するＩ／Ｏポート７１が接続されている。プログラムＲＯＭ６５は、後述する各種テーブルやデータ、シーケンスプログラムなどを格納するように記憶部が区分されている。また、制御ＲＡＭ６６には、後述する各種格納領域などが設けられている。
【００３７】
マイコン６３からの制御信号により動作が制御される主要なアクチュエータとしては、各リール２〜４を回転駆動するステッピングモータ４５、およびメダルを収納するホッパー７２がある。これらはそれぞれモータ駆動回路７４、およびホッパー駆動回路７６によって駆動される。これら各駆動回路７４、７６は、マイコン６３のＩ／Ｏポート７１を介してメインＣＰＵ６４に接続されている。
【００３８】
また、マイコン６３が制御信号を生成するために必要な入力信号を発生する主な入力信号発生手段としては、投入口８から投入されたメダルを検出する投入メダルセンサ８Ｓ、スタートレバー３０の操作を検出するスタートスイッチ３０Ｓ、貯留メダル投入ボタン２６，２７，２８の操作を検出する貯留メダル投入スイッチ２６Ｓ，２７Ｓ，２８Ｓ、および貯留メダル精算ボタン２９の操作を検出する貯留メダル精算スイッチ２９Ｓがある。
【００３９】
スタートスイッチ３０Ｓは、スタートレバー３０に対する単位遊技の開始操作の検出を行なう開始操作検出手段を構成している。乱数発生器６９は、乱数を発生させる乱数発生手段を構成している。サンプリング回路７０は、スタートスイッチ３０Ｓにより行なわれる開始操作の検出に基づいて、乱数発生器６９によって発生される乱数の中から任意の乱数を抽出する乱数抽出手段を構成している。また、マイコン６３は、サンプリング回路７０により抽出された一の乱数が属する数値範囲に基づいて単位遊技における当籤役を決定し、一の乱数が予め設定された数値範囲に属する場合には、複数の当籤役、本実施形態では「ＢＢ１」または「ＢＢ２」と「スイカ」の小役とを同時に当籤役として決定する当籤役決定手段を構成している。
【００４０】
また、上記の入力信号発生手段としては、ホトセンサ４９からの出力パルス信号を受けて各リール２〜４の回転位置を検出するリール位置検出回路７７がある。ホトセンサ４９は各リール２〜４の駆動機構に含まれており、同図では図示されていない。リール位置検出回路７７は、リール２〜４の回転が開始された後、ステッピングモータ４５の各々に供給される駆動パルスの数を計数し、この計数値を制御ＲＡＭ６６の所定エリアに書き込む。従って、制御ＲＡＭ６６内には、各リール２〜４について、一回転の範囲内における回転位置に対応した計数値が格納されている。また、ホトセンサ４９は、各リール２〜４が一回転する毎に、リールインデックスとして設けられている遮蔽板５０を検出してリセットパルスを発生する。このリセットパルスはリール位置検出回路７７を介してメインＣＰＵ６４に与えられ、メインＣＰＵ６４は、このリセットパルスに基づいて、制御ＲＡＭ６６で計数されている駆動パルスの計数値を“０”にクリアする。このクリア処理により、各シンボルの移動表示と各ステッピングモータ４５の回転との間に生じるずれが、１回転毎に解消される。
【００４１】
上記のマイコン６３、ステッピングモータ４５、モータ駆動回路７４、およびリール位置検出回路７７は、スタートスイッチ３０Ｓにより行なわれる開始操作の検出に基づいて、図柄表示手段により表示されるシンボルの変動を行なう図柄変動手段を構成している。
【００４２】
さらに、上記の入力信号発生手段としては、停止ボタン３１〜３３が押された時に対応するリールを停止させる信号を発生するリール停止信号回路７８と、ホッパー７２から払い出されるメダル数を計数するメダル検出部７２Ｓおよび払出完了信号発生回路７３とがある。払出完了信号発生回路７３は、メダル検出部７２Ｓから入力した実際に払い出しのあったメダル計数値が配当枚数データに達した時に、メダル払い出しの完了を検知する信号を発生する。これら入力信号発生手段を構成する各回路７３，７８も、Ｉ／Ｏポート７１を介してメインＣＰＵ６４に接続されている。
【００４３】
リール停止信号回路７８は、図柄変動手段によるシンボルの変動を停止させる停止ボタン３１〜３３に対する停止操作の検出を行う停止操作検出手段を構成している。また、マイコン６３、ステッピングモータ４５、モータ駆動回路７４、およびリール位置検出回路７７は、当籤役決定手段により決定された当籤役とリール停止信号回路７８により行なわれる停止操作の検出とに基づいて、図柄変動手段により行われるシンボルの変動を停止させる制御を行う停止制御手段を構成している。また、マイコン６３、ホッパー７２、メダル検出部７２Ｓ、ホッパー駆動回路７６、および払出完了信号発生回路７３は、停止制御手段により図柄表示手段に停止表示されたシンボルの組合わせに応じて遊技者にメダルを遊技媒体として付与する遊技媒体付与手段を構成している。また、マイコン６３は、当籤役決定手段により遊技者に有利な特典遊技を構成するＢＢゲームに対応するＢＢ１またはＢＢ２が特典役として決定されて、このＢＢ１またはＢＢ２に対応するシンボルの組合わせ（“赤７−赤７−赤７”，“青７−青７−青７”）が停止制御手段により図柄表示手段に停止表示されると、ＢＢゲームを作動させる特典遊技作動手段を構成している。
【００４４】
また、Ｉ／Ｏポート７１にはサブ制御部通信ポート７９が接続されており、マイコン６３は、このサブ制御部通信ポート７９を介してサブ制御基板６２ａへ信号を送出する。
【００４５】
図６に示すサブ制御基板６２ａには、この信号を受信するシリアルポート８０ａが設けられている。サブ制御部通信ポート７９およびシリアルポート８０ａ間の通信は、サブ制御部通信ポート７９からシリアルポート８０ａへ向かう一方向についてだけ行われる。本実施形態では、サブ制御部通信ポート７９からシリアルポート８０ａへ送出される信号は、７ビット長でその制御種別が表されるコマンド種別と、８ビットまたは２４ビット長でそのコマンドの内容が表されるパラメータとのセットで構成されている。
【００４６】
サブ制御基板６２ａは、画像制御ＣＰＵ８１、プログラムＲＯＭ８２およびワークＲＡＭ８３を主な構成要素として備えている。プログラムＲＯＭ８２には、後述する各種テーブルや画像制御に必要なシーケンスプログラムなどが格納されている。また、ワークＲＡＭ８３には、画像制御ＣＰＵ８１により種々の処理が行なわれる際の一時的なデータなどが格納される。
【００４７】
また、画像制御ＣＰＵ８１には、制御ＲＡＭ８８を有するＶＤＰ（ビデオ・ディスプレイ・プロセッサ）８６が接続されており、このＶＤＰ８６には、キャラクタ・データ等が記憶された画像ＲＯＭ（ＣＲＯＭ）８７、およびカラーディスプレイ表示用バッファメモリであるビデオＲＡＭ８９が接続されている。画像制御ＣＰＵ８１は、プログラムＲＯＭ８２に記憶されたシーケンスプログラムに従い、ワークＲＡＭ８３を作業領域としてＶＤＰ８６を制御し、ＶＤＰ８６は、画像制御ＣＰＵ８１の制御の下、画像ＲＯＭ８７から読み込んだキャラクタ・データに基づいて液晶パネル１１０に画像表示を行う。この画像制御は、カレンダＩＣ（集積回路）８４から入力した日付時刻情報を用いて行われ、前述した選択ボタン２３および決定ボタン２４などの操作部に対する操作入力や、メイン制御基板６１から送信された各種コマンドの受信などに応じて行われる。上記ワークＲＡＭ８３およびカレンダＩＣ８４は、停電時におけるバックアップ対象になっている。
【００４８】
画像制御ＣＰＵ８１は、シリアルポート８０ａを介して受信した各種コマンド等に基づいて遊技状態や当籤フラグの種類といった情報を取り込み、取り込んだ情報に基づいて、液晶パネル１１０に表示する画像を選択する。そして、ＶＤＰ８６を制御して、選択した画像を液晶パネル１１０に表示させる。また、液晶パネル１１０に表示されるメニュー画面の表示に従って選択ボタン２３および決定ボタン２４が操作されると、画像制御ＣＰＵ８１の制御の下、遊技履歴情報やＢＢ１またはＢＢ２の入賞回数などといった遊技に関する情報がＶＤＰ８６により液晶パネル１１０に表示される。
【００４９】
画像制御ＣＰＵ８１、プログラムＲＯＭ８２、ワークＲＡＭ８３、ＶＤＰ８６、画像ＲＯＭ８７、制御ＲＡＭ８８およびビデオＲＡＭ８９は、ＢＢ１またはＢＢ２の特典役と同時に当籤役として決定されることがある所定の役、本実施形態では「スイカ」の小役が当籤役決定手段によって当籤役として決定されると、第１の画像を構成する赤色のスイカの絵柄１１３と、第２の画像を構成する青色のスイカの絵柄１１４とが重なった、余色法による立体視画像１１５を液晶パネル１１０に表示させる制御を行う表示制御手段を構成している。
【００５０】
また、サブ制御基板６２ａのシリアルポート８０ａは、サブ制御基板６２ｂのシリアルポート８０ｂに接続されている。サブ制御基板６２ｂの音・ランプ制御ＣＰＵ９０には、プログラムが記憶されたプログラムＲＯＭ９１、および作業領域となるワークＲＡＭ９２が接続されている。音・ランプ制御ＣＰＵ９０は、シリアルポート８０ａを介してシリアルポート８０ｂで受信した制御信号に基づき、ランプ類９８およびＬＥＤ類９９などの点灯を制御する。ランプ類９８は、ベットランプ１３〜１５、スタートランプ１７、ＷＩＮランプ１９、インサートランプ２１などを示している。ＬＥＤ類９９は、各リール２〜４に内蔵されたリールバックランプ４７ａ〜４７ｃ、遊技動作表示器９〜１２、貯留枚数表示部１６、ボーナスカウント表示部１８および配当枚数表示部２０などを示している。
【００５１】
また、音・ランプ制御ＣＰＵ９０には、音源ＩＣ９３およびパワーアンプ９５を介して、スピーカカバー９６，９６の背後に設けられた前述したスピーカ１０１，１０１が接続されており、さらに、音量調節部９７が接続されている。音・ランプ制御ＣＰＵ９０は、プログラムＲＯＭ９１に記憶されたプログラムに従って音源ＩＣ９３を制御し、音源ＩＣ９３は、音・ランプ制御ＣＰＵ９０によるこの制御に従い、音源ＲＯＭ９４に記憶されたサウンド・データを読み出す。そして、読み出したデータを、音量調節部９７からの入力に応じた増幅度に従ってパワーアンプ９５において増幅させ、メダル投入音やスタートレバー操作音，停止ボタン操作音，ＢＢゲーム中の遊技音といった効果音をスピーカ１０１，１０１から出力させる。
【００５２】
また、音・ランプ制御ＣＰＵ９０にはウィンドウ駆動回路１１６が接続されている。このウィンドウ駆動回路１１６は、赤ウィンドウ１１１および青ウィンドウ１１２を移動させる上述したステッピングモータを駆動制御する。音・ランプ制御ＣＰＵ９０は、上述した余色法による立体視画像１１５（図４参照）が画像制御ＣＰＵ８１によって液晶パネル１１０に表示されると、画像制御ＣＰＵ８１からの制御信号に基づいて、ウィンドウ駆動回路１１６を制御して、ステッピングモータを駆動させ、各ウィンドウ１１１，１１２を移動開始位置Ａから移動終了位置Ｂに向かって移動させる。
【００５３】
画像制御ＣＰＵ８１、音・ランプ制御ＣＰＵ９０、プログラムＲＯＭ９１、ワークＲＡＭ９２およびウィンドウ駆動回路１１６は、スイカの小役が当籤役決定手段によって当籤役として決定されると、赤ウィンドウ１１１および青ウィンドウ１１２を移動させて、表示制御手段によって液晶パネル１１０に表示される立体視画像１１５の左側部分および右側部分を赤ウィンドウ１１１および青ウィンドウ１１２によって遮蔽する制御を行う扉移動手段を構成している。
【００５４】
図７〜図１２は、メイン制御基板６１のプログラムＲＯＭ６５に記憶された各種テーブルおよびデータを示す図である。
【００５５】
図７は、左，中，右の各リール２，３，４のリール帯４４に描かれた複数種類のシンボルの配置を示すシンボル配置テーブルを概念的に示す図である。
【００５６】
シンボル配置テーブルでは、各シンボルに対してシンボル位置を表わす“０”〜“２０”のコードナンバーが付されている。各リール２〜４の各コードナンバーには、それぞれ、“赤チェリー”、“青チェリー”、“ベル”、“スイカ”、“リプレイ”、“赤７”、“青７”および“ブランク”の８種類のシンボルのうちの何れかが対応づけられている。各リール２〜４は、シンボル列が図の矢印方向に移動するように回転駆動される。本実施形態では、シンボル“赤チェリー”、“青チェリー”、“ベル”、“スイカ”、“リプレイ”、“赤７”、“青７”は、それぞれ、赤色のチェリーの絵柄、青色のチェリーの絵柄、黄色のベルの絵柄、緑色のスイカの絵柄、楕円形の中に青色の文字「Replay」を表した絵柄、赤色の文字「７」を表した絵柄、青色の文字「７」を表した絵柄からなる。また、シンボル“ブランク”が配置される部分には、絵柄は何も描かれていない。
【００５７】
同図に示すように、左リール２におけるシンボル“スイカ”はコードナンバー“１３”および“２０”にのみ位置し、４コマの間隔を越えて配置されている。また、中リール３におけるシンボル“スイカ”はコードナンバ“１”，“６”，“１５”，および“１９”に位置し、コードナンバー“６”および“１５”間が４コマの間隔を越えて配置されている。また、右リール４におけるシンボル“スイカ”はコードナンバ“１０”および“１４”にのみ位置し、４コマの間隔を越えて配置されている。従って、スイカの小役は、図柄表示手段によってシンボル４コマ分の変動範囲を超えて表示されるシンボルを含んでいる。
【００５８】
図８は、シンボル組合わせテーブルを概念的に示す図である。
【００５９】
シンボル組合わせテーブルは、表示役およびメダル払出枚数を特定する際に用いられる。シンボル組合わせテーブルには、左リール２，中リール３，右リール４について有効化入賞ライン上に表示されたシンボルの組合わせと、表示役と、メダル払出枚数との関係が記憶されている。各リール２〜４の欄に表されるシンボルの組合わせが有効化入賞ライン上に表示されると、対応する表示役欄に表される表示役および払出枚数欄に表される枚数が、それぞれ表示役およびメダルの払出枚数として特定される。
【００６０】
同図に示すように、“赤チェリー−ＡＮＹ−ＡＮＹ”が有効化入賞ライン上に表示されると、“０００００００１”の「赤チェリー」の小役が表示役として特定され、投入枚数が２枚および３枚のいずれの場合であっても２枚が払出枚数として特定される。なお、「ＡＮＹ」はどのシンボルでもよいことを表す。また、“青チェリー−ＡＮＹ−ＡＮＹ”が有効化入賞ライン上に表示されると、“００００００１０”の「青チェリー」の小役が表示役として特定され、投入枚数が２枚および３枚のいずれの場合であっても２枚が払出枚数として特定される。また、“ベル−ベル−ベル”が有効化入賞ライン上に表示されると、“０００００１００”の「ベル」の小役が表示役として特定され、投入枚数が２枚および３枚のいずれの場合であっても１５枚が払出枚数として特定される。また、“スイカ−スイカ−スイカ”が有効化入賞ライン上に表示されると、“００００１０００”の「スイカ」の小役が表示役として特定され、投入枚数が２枚および３枚のいずれの場合であっても６枚が払出枚数として特定される。
【００６１】
また、“リプレイ−リプレイ−リプレイ”が有効化入賞ライン上に表示されると、“０００１００００”の「リプレイ（再遊技役）」が表示役として特定され、投入枚数が２枚および３枚のいずれの場合であっても０枚が払出枚数として特定される。表示役として「リプレイ」が特定されると、その単位遊技で遊技に賭けられた枚数と同じ枚数のメダルが、次の単位遊技で自動投入される（図１７，Ｓ４３参照）。また、“赤７−赤７−赤７”が有効化入賞ライン上に表示されると、“００１０００００”の「ＢＢ１」が表示役として特定され、投入枚数が２枚および３枚のいずれの場合であっても０枚が払出枚数として特定される。また、“青７−青７−青７”が有効化入賞ライン上に表示されると、“０１００００００”の「ＢＢ２」が表示役として特定され、投入枚数が２枚および３枚のいずれの場合であっても０枚が払出枚数として特定される。表示役として「ＢＢ１」または「ＢＢ２」が特定されると、次の単位遊技からＢＢゲームが行なわれる。上記以外のシンボルの組合わせが有効化入賞ライン上に表示されると、「ハズレ」が表示役として特定され、投入枚数が２枚および３枚のいずれの場合であっても０枚が払出枚数として特定される。
【００６２】
図９は、内部抽籤テーブル決定テーブルを概念的に示す図である。
【００６３】
内部抽籤テーブル決定テーブルは、後述する内部抽籤処理（図１５，Ｓ７参照）において、内部抽籤テーブルおよび抽籤回数を決定する際に用いられる。このテーブルでは、各遊技状態毎に、抽籤に用いる内部抽籤テーブルの種別、および抽籤回数を表すデータが割り当てられている。後述する内部抽籤処理では、各遊技状態に対応する内部抽籤テーブルを用いて、各遊技状態に対応する抽籤回数だけ抽籤が行われる。一般遊技状態には、一般遊技状態用内部抽籤テーブルおよび抽籤回数７回を表すデータが割り当てられており、一般遊技状態中の各単位遊技では、内部抽籤テーブルとして一般遊技状態用内部抽籤テーブル、抽籤回数として７回が決定される。また、ＲＢ遊技状態には、ＲＢ遊技状態用内部抽籤テーブルおよび抽籤回数４回を表すデータが割り当てられており、ＲＢ遊技状態中の各単位遊技では、内部抽籤テーブルとしてＲＢ遊技状態用内部抽籤テーブル、抽籤回数として４回が決定される。
【００６４】
図１０は、内部抽籤テーブルを概念的に示す図であり、同図（ａ）は内部当籤状態を含む一般遊技状態で用いられる一般遊技状態用内部抽籤テーブル、同図（ｂ）はＲＢ遊技状態で用いられるＲＢ遊技状態用内部抽籤テーブルである。
【００６５】
各内部抽籤テーブルは、後述する内部抽籤処理において当籤役を決定する際に用いられ、乱数発生器６９で発生してサンプリング回路７０で抽出された０〜６５５３５の範囲の乱数を、各当籤番号１〜７に区分けする数値範囲を下限値および上限値として記憶している。各当籤番号は各当籤役に対応づけられている。
【００６６】
同図（ａ）に示す一般遊技状態用内部抽籤テーブルは、一般遊技状態においてメダルが３枚投入されたときに用いられる内部抽籤テーブルである。
【００６７】
この一般遊技状態用内部抽籤テーブルでは、赤チェリーの小役に対応付けられた当籤番号１には下限値２６２，上限値１３５３の幅１０９２の数値範囲が割り当てられており、当籤確率は１０９２／６５５３６である。また、青チェリーの小役に対応付けられた当籤番号２には下限値１３５４，上限値２４４５の幅１０９２の数値範囲が割り当てられており、当籤確率は１０９２／６５５３６である。また、ベルの小役に対応付けられた当籤番号３には下限値２４４６，上限値６９３３の幅４４８８の数値範囲が割り当てられており、当籤確率は４４８８／６５５３６である。また、スイカの小役に対応付けられた当籤番号４には下限値６９３４，上限値７５８８の幅６５５の数値範囲が割り当てられており、当籤確率は６５５／６５５３６である。また、リプレイに対応付けられた当籤番号５には下限値７５８９，上限値１６５６８の幅８９８０の数値範囲が割り当てられており、当籤確率は８９８０／６５５３６である。また、ＢＢ１に対応付けられた当籤番号６には下限値７０００，上限値７１９９の幅２００の数値範囲が割り当てられており、当籤確率は２００／６５５３６である。また、ＢＢ２に対応付けられた当籤番号７には下限値７２００，上限値７３９９の幅２００の数値範囲が割り当てられており、当籤確率は２００／６５５３６である。また、抽出された乱数が上記のいずれの数値範囲にも該当しない場合は、ハズレに対応する当籤番号０が決定される。ハズレとなる確率は４８８２９／６５５３６である。
【００６８】
上記のように、当籤番号６のＢＢ１に割り当てられている７０００〜７１９９の幅２００の数値範囲、および、当籤番号７のＢＢ２に割り当てられている７２００〜７３９９の幅２００の数値範囲は、それぞれ、当籤番号４のスイカの小役に割り当てられている数値範囲６９３４〜７５８８と重複しており、本実施形態ではこのスイカの小役の数値範囲に含まれている。従って、乱数発生器６９で発生してサンプリング回路７０で抽出された一の乱数が、ＢＢ１とスイカの小役との重複数値範囲（７０００〜７１９９）に属する場合には、ＢＢ１とスイカの小役との両方の役が当籤役として同時に決定される。また、乱数発生器６９で発生してサンプリング回路７０で抽出された一の乱数が、ＢＢ２とスイカの小役との重複数値範囲（７２００〜７３９９）に属する場合には、ＢＢ２とスイカの小役との両方の役が当籤役として同時に決定される。また、乱数発生器６９で発生してサンプリング回路７０で抽出された一の乱数が、重複数値範囲（７０００〜７３９９）に含まれない数値範囲（６９３４〜６９９９，７４００〜７５８８）に属する場合には、スイカの小役が当籤役として決定され、ＢＢ１およびＢＢ２は同時に決定されない。
【００６９】
同図（ｂ）に示すＲＢ遊技状態用内部抽籤テーブルは、ＲＢ遊技状態においてメダルが２枚投入されたときに用いられる内部抽籤テーブルである。
【００７０】
このＲＢ遊技状態用内部抽籤テーブルでは、赤チェリーの小役に対応付けられた当籤番号１には下限値０，上限値４３６９の幅４３７０の数値範囲が割り当てられており、当籤確率は４３７０／６５５３６である。また、青チェリーの小役に対応付けられた当籤番号２にも下限値０，上限値４３６９の幅４３７０の数値範囲が割り当てられており、当籤確率は４３７０／６５５３６である。また、ベルの小役に対応付けられた当籤番号３には下限値４３７０，上限値３７１３７の幅３２７６８の数値範囲が割り当てられており、当籤確率は３２７６８／６５５３６である。また、スイカの小役に対応付けられた当籤番号４には下限値３７１３８，上限値６５５３５の幅２８３９８の数値範囲が割り当てられており、当籤確率は２８３９８／６５５３６である。
【００７１】
ＲＢ遊技状態用内部抽籤テーブルでは、リプレイ，ＢＢ１およびＢＢ２には当籤番号が対応付けられておらず、上記のＲＢ遊技状態用内部抽籤テーブルが用いられるＲＢ遊技状態では、リプレイ，ＢＢ１およびＢＢ２が当籤役として決定されることはない。また、上記のように、ＲＢ遊技状態用内部抽籤テーブルでは、当籤番号１，２，３，４に対応する各小役が当籤役として決定される確率が、同図（ａ）に示した一般遊技状態用内部抽籤テーブルに比べて全般的に高くなっており、特に、最も配当の高い当籤番号３（ベル）に対応する小役の当籤確率が高くなっている。また、当籤役がハズレとなることはない。従って、ＲＢ遊技状態用内部抽籤テーブルは遊技者に有利なものになっている。
【００７２】
図１１は、内部当籤役決定テーブルを概念的に示す図である。
【００７３】
内部当籤役決定テーブルは、後述する内部抽籤処理において当籤役を決定する際に用いられる。内部当籤役決定テーブルでは、内部抽籤テーブル（図１０（ａ），（ｂ）参照）を用いて決定される各当籤番号「０」〜「７」と、当籤役の種別毎に異なる８ビットデータとが、対応付けられている。
【００７４】
同図に示すように、当籤番号「０」には、「ハズレ」のデータ“００００００００”が対応付けられている。また、当籤番号「１」，「２」，「３」，「４」，「５」，「６」および「７」には、「赤チェリー」の小役のデータ“０００００００１”，「青チェリー」の小役のデータ“００００００１０”，「ベル」の小役のデータ“０００００１００”，「スイカ」の小役のデータ“００００１０００”，「リプレイ」のデータ“０００１００００”，「ＢＢ１」のデータ“００１０００００”，および「ＢＢ２」のデータ“０１００００００”がそれぞれ対応付けられている。
【００７５】
図１２は、ボーナス作動時テーブルを概念的に示す図である。
【００７６】
ボーナス作動時テーブルは、後述するボーナス作動監視処理およびボーナス作動チェック処理で用いられる。ボーナス作動時テーブルでは、ＢＢ作動時欄およびＲＢ作動時欄に示すデータと、これらの各データが格納される、格納領域欄に示す制御ＲＡＭ６６内の各格納領域とが対応付けられている。
【００７７】
ＢＢ作動時欄には、作動中フラグ格納領域にＢＢゲームが作動中であることを表すＢＢ作動中フラグ、ボーナス終了枚数カウンタ格納領域にＢＢゲーム中に獲得できるメダル枚数３００枚を表す数値が、それぞれ対応づけられている。また、ＲＢ作動時欄には、作動中フラグ格納領域にＲＢゲームが作動中であることを表すＲＢ作動中フラグ、遊技可能回数カウンタ格納領域に１回のＲＢゲーム中に行える単位遊技回数１２回を表す数値、入賞可能回数カウンタ格納領域に１回のＲＢゲーム中に小役の入賞を成立させることができる回数８回を表す数値が、それぞれ対応づけられている。
【００７８】
図１３は、メイン制御基板６１の制御ＲＡＭ６６に設けられた種々の格納領域を概念的に示しており、同図（ａ）は内部当籤役格納領域、同図（ｂ）は持越役格納領域、同図（ｃ）は作動中フラグ格納領域である。
【００７９】
同図（ａ）に示す内部当籤役格納領域には、図１１に示す内部当籤役決定テーブルを参照して内部抽籤処理で決定された内部当籤役を表すデータが格納される。同図に示すように、内部当籤役格納領域はビット０〜ビット７の８ビットで構成されており、各ビットにはデータ欄に示される数値（“０”または“１”）がセットされる。
【００８０】
内部当籤役が「赤チェリー」を表す“０００００００１”である場合、ビット１〜ビット７には数値“０”がセットされ、ビット０には数値“１”がセットされる。また、内部当籤役が「青チェリー」を表す“００００００１０”である場合、ビット０，ビット２〜ビット７には数値“０”がセットされ、ビット１には数値“１”がセットされる。また、内部当籤役が「ベル」を表す“０００００１００”である場合、ビット０，ビット１，ビット３〜ビット７には数値“０”がセットされ、ビット２には数値“１”がセットされる。また、内部当籤役が「スイカ」を表す“００００１０００”である場合、ビット０〜ビット２，ビット４〜ビット７には数値“０”がセットされ、ビット３には数値“１”がセットされる。また、内部当籤役が「リプレイ」を表す“０００１００００”である場合、ビット０〜ビット３，ビット５〜ビット７には数値“０”がセットされ、ビット４には数値“１”がセットされる。また、内部当籤役が「ＢＢ１」を表す“００１０００００”である場合、ビット０〜ビット４，ビット６，ビット７には数値“０”がセットされ、ビット５には数値“１”がセットされる。また、内部当籤役が「ＢＢ２」を表す“０１００００００”である場合、ビット０〜ビット５，ビット７には数値“０”がセットされ、ビット６には数値“１”がセットされる。
【００８１】
また、「ＢＢ１」と「スイカ」の小役とが同時に当籤役として決定されたときには、ビット３，ビット５に数値“１”がセットされ、ビット０〜ビット２，ビット４，ビット６，ビット７に数値“０”がセットされる。また、「ＢＢ２」と「スイカ」の小役とが同時に当籤役として決定されたときには、ビット３，ビット６に数値“１”がセットされ、ビット０〜ビット２，ビット４，ビット５，ビット７に数値“０”がセットされる。
【００８２】
また、格納領域には、図示しない表示役格納領域がある。表示役格納領域には、内部当籤役が表示役として成立したときに、その表示役データが内部当籤役格納領域と同じデータで格納される。表示役格納領域は内部当籤役格納領域と同じ構成を有しており、表示役の種別を表すフラグの立てられるビットも同じである。
【００８３】
同図（ｂ）に示す持越役格納領域には、持越役の有無を表すデータが格納される。同図に示すように、持越役格納領域はビット０〜ビット７の８ビットで構成されており、各ビットにはデータ欄に示される数値（“０”または“１”）がセットされる。内部当籤役「ＢＢ１」が持ち越されている場合には、ビット０〜ビット４，ビット６，ビット７に数値“０”がセットされ、ビット５に数値“１”がセットされる。また、内部当籤役「ＢＢ２」が持ち越されている場合には、ビット０〜ビット５，ビット７に数値“０”がセットされ、ビット６に数値“１”がセットされる。
【００８４】
同図（ｃ）に示す作動中フラグ格納領域には、作動中フラグの種別を表すデータが格納される。同図に示すように、作動中フラグ格納領域はビット０〜ビット７の８ビットで構成されており、各ビットにはデータ欄に示される数値（“０”または“１”）がセットされる。ＢＢゲームが作動中でＲＢゲームが行なわれるときには、作動中フラグ格納領域のビット１〜ビット７に数値“０”がセットされ、ビット０に数値“１”がＲＢ作動中フラグとしてセットされる。また、ＢＢ１またはＢＢ２の表示役が成立してＢＢゲームが作動中のときには、作動中フラグ格納領域のビット０，ビット２〜ビット７に数値“０”がセットされ、ビット１に数値“１”がＢＢ作動中フラグとしてセットされる。従って、ＢＢゲームが作動してＲＢゲームが行なわれるときには、ビット０，ビット１の両方に数値“１”がセットされることになる。
【００８５】
また、図示は省略するが、サブ制御基板６２ａのワークＲＡＭ８３にも上記（ａ）〜（ｃ）に示す各格納領域と同様に、内部当籤役格納領域（サブ）、持越役格納領域（サブ）、および作動中フラグ格納領域（サブ）が設けられている。画像制御ＣＰＵ８１は、これらの格納領域を参照することで内部当籤役の種別や持越役の有無、遊技状態などを判別する。
【００８６】
図１４は、サブ制御基板６２ａのプログラムＲＯＭ８２に記憶された演出決定用のテーブルを概念的に示す図であり、同図（ａ）は、一般遊技状態で用いられる一般遊技状態用演出決定テーブルＡ、同図（ｂ）は、一般遊技状態で「スイカ」の小役が内部当籤したときに用いられる一般遊技状態用演出決定テーブルＢ、同図（ｃ）は、ＲＢ遊技状態で用いられるＲＢ遊技状態用演出決定テーブルを示している。各テーブルは、後述する演出抽籤処理において演出の種別を決定する際に参照される。
【００８７】
各テーブルは、演出識別子欄および内部当籤役欄から構成されており、演出識別子欄に表わされた演出態様の種別を示す各演出識別子と、これら各演出識別子が選択される確率とが、内部当籤役欄に示された当籤役の種別毎に対応付けられている。内部当籤役欄に示された当籤役のうち、同図（ａ），（ｂ）における当籤役「スイカ」は、乱数発生器６９で発生してサンプリング回路７０で抽出された一の乱数が「ＢＢ１」または「ＢＢ２」との重複数値範囲（７０００〜７３９９）に含まれない数値範囲（６９３４〜６９９９，７４００〜７５８８）に属し、単独で当籤したものを示している。また、同図（ａ）における当籤役「ＢＢ１」，「ＢＢ２」、および同図（ｂ）における当籤役「スイカ＋ＢＢ１」，「スイカ＋ＢＢ２」は、それぞれ乱数発生器６９で発生してサンプリング回路７０で抽出された一の乱数が「スイカ」の小役との重複数値範囲（７０００〜７３９９）に属し、それぞれ「スイカ」の小役と同時に重複して当籤したものを示している。「演出Ａ」〜「演出Ｅ」，「演出Ｉ」〜「演出Ｋ」のいずれかの演出識別子が選択されると、選択された演出識別子に応じ、液晶パネル１１０における画像表示や、ＬＥＤ類９９およびランプ類９８の点灯、およびスピーカ１０１，１０１からの出音などにより、異なる態様で演出が行われる。また、「演出Ｆ」〜「演出Ｈ」のいずれかの演出識別子が選択されると、選択された演出識別子に応じて、液晶パネル１１０に異なる立体視画像が表示されると共に、赤ウィンドウ１１１および青ウィンドウ１１２が移動開始位置Ａから移動終了位置Ｂに向かって移動させられる。また、「演出なし」の演出識別子が選択されたときには、演出は行なわれない。
【００８８】
本実施形態では、「演出Ｆ」の演出識別子が選択されると、液晶パネル１１０に、「スイカ」の小役を示唆する赤色のスイカの絵柄１１３および青色のスイカの絵柄１１４が重なった立体視画像１１５（図４参照）が表示され、赤ウィンドウ１１１および青ウィンドウ１１２が、移動開始位置Ａから移動終了位置Ｂに向かって移動する。また、「演出Ｇ」の演出識別子が選択されると、液晶パネル１１０に、「スイカ」の小役および「ＢＢ１」の特典役を示唆する立体視画像が表示され、赤ウィンドウ１１１および青ウィンドウ１１２が、移動開始位置Ａから移動終了位置Ｂに向かって移動する。また、「演出Ｈ」の演出識別子が選択されると、液晶パネル１１０に、「スイカ」の小役および「ＢＢ２」の特典役を示唆する立体視画像が表示され、赤ウィンドウ１１１および青ウィンドウ１１２が、移動開始位置Ａから移動終了位置Ｂに向かって移動する。
【００８９】
同図（ａ）に示すように、一般遊技状態用演出決定テーブルＡでは、当籤役が「ハズレ」である場合、「演出なし」の演出識別子が選択される確率は１１２／１２８、「演出Ａ」，「演出Ｂ」，「演出Ｃ」，「演出Ｄ」の各演出識別子が選択される確率はそれぞれ４／１２８である。当籤役が「ハズレ」のときには、「演出Ｅ」の演出識別子が選択されることはない。また、当籤役が「赤チェリー」の小役である場合、「演出Ｂ」の演出識別子が選択される確率は４０／１２８、「演出Ｃ」の演出識別子が選択される確率は５６／１２８、「演出Ｄ」，「演出Ｅ」の演出識別子が選択される確率はそれぞれ１６／１２８である。また、当籤役が「青チェリー」の小役である場合、「演出Ｂ」の演出識別子が選択される確率は５６／１２８、「演出Ｃ」の演出識別子が選択される確率は４０／１２８、「演出Ｄ」，「演出Ｅ」の演出識別子が選択される確率はそれぞれ１６／１２８である。当籤役が「赤チェリー」または「青チェリー」の小役のときには、「演出なし」および「演出Ａ」の演出識別子が選択されることはない。また、当籤役が「ベル」の小役である場合、「演出なし」，「演出Ｂ」の演出識別子が選択される確率はそれぞれ３２／１２８、「演出Ａ」の演出識別子が選択される確率は６４／１２８である。当籤役が「ベル」の小役のときには、「演出Ｃ」〜「演出Ｅ」の演出識別子が選択されることはない。
【００９０】
また、当籤役が単独の「スイカ」の小役である場合、「演出Ｂ」，「演出Ｃ」の演出識別子が選択される確率はそれぞれ４８／１２８、「演出Ｄ」，「演出Ｅ」の演出識別子が選択される確率はそれぞれ１６／１２８である。当籤役が単独の「スイカ」の小役のときには、「演出なし」および「演出Ａ」の演出識別子が選択されることはない。また、当籤役が「リプレイ」である場合、「演出なし」の演出識別子が選択される確率は９６／１２８、「演出Ａ」の演出識別子が選択される確率は３２／１２８である。当籤役が「リプレイ」のときには、「演出Ｂ」〜「演出Ｅ」の演出識別子が選択されることはない。また、当籤役が「スイカ」の小役と重複した「ＢＢ１」である場合、「演出Ｂ」，「演出Ｃ」の演出識別子が選択される確率はそれぞれ１６／１２８、「演出Ｄ」の演出識別子が選択される確率は４０／１２８、「演出Ｅ」の演出識別子が選択される確率は５６／１２８である。また、当籤役が「スイカ」の小役と重複した「ＢＢ２」である場合、「演出Ｂ」，「演出Ｃ」の演出識別子が選択される確率はそれぞれ１６／１２８、「演出Ｄ」の演出識別子が選択される確率は５６／１２８、「演出Ｅ」の演出識別子が選択される確率は４０／１２８である。当籤役が「スイカ」の小役と重複した「ＢＢ１」または「ＢＢ２」のときには、「演出なし」および「演出Ａ」の演出識別子が選択されることはない。
【００９１】
また、同図（ｂ）に示すように、一般遊技状態用演出決定テーブルＢでは、当籤役が単独の「スイカ」の小役である場合、「演出Ｆ」の演出識別子が選択される確率は８０／１２８、「演出Ｇ」，「演出Ｈ」の演出識別子が選択される確率はそれぞれ２４／１２８である。また、当籤役が「スイカ」の小役と重複した「ＢＢ１」である場合、「演出Ｇ」の演出識別子が選択される確率は６８／１２８、「演出Ｈ」の演出識別子が選択される確率は６０／１２８である。また、当籤役が「スイカ」の小役と重複した「ＢＢ２」である場合、「演出Ｇ」の演出識別子が選択される確率は６０／１２８、「演出Ｈ」の演出識別子が選択される確率は６８／１２８である。当籤役が「スイカ」の小役と重複した「ＢＢ１」または「ＢＢ２」のときには、「演出Ｆ」の演出識別子が選択されることはない。
【００９２】
上記のように、一般遊技状態用演出決定テーブルＢが用いられる一般遊技状態では、単独で「スイカ」の小役に当籤したときだけ「演出Ｆ」が選択され得る。また、「スイカ」の小役と「ＢＢ１」とが同時に当籤したときには「演出Ｇ」が選択される確率が若干高く、「スイカ」の小役と「ＢＢ２」とが同時に当籤したときには「演出Ｈ」が選択される確率が若干高い。
【００９３】
また、同図（ｃ）に示すように、ＲＢ遊技状態用演出決定テーブルでは、当籤役が「赤チェリー」または「青チェリー」の小役である場合、「演出Ｊ」，「演出Ｋ」の演出識別子が選択される確率はそれぞれ６４／１２８である。また、当籤役が「ベル」の小役である場合も、「演出Ｊ」，「演出Ｋ」の演出識別子が選択される確率はそれぞれ６４／１２８である。当籤役がこれら「赤チェリー」，「青チェリー」または「ベル」の小役である場合、「演出Ｉ」の演出識別子が選択されることはない。また、当籤役が「スイカ」の小役である場合には、「演出Ｉ」の演出識別子が選択される確率は１２８／１２８であり、１００％の確率で選択され、「演出Ｉ」以外の他の演出識別子が選択されることはない。
【００９４】
上記のように、ＲＢ遊技状態用演出決定テーブルが用いられるＢＢゲームでは、「スイカ」の小役が当籤役として決定されると、１００％の確率で、「演出Ｉ」の演出が行われることになる。
【００９５】
次に、図１５に示すメインフローチャートを参照して、メイン制御基板６１のメインＣＰＵ６４の制御動作について説明する。
【００９６】
初めに、メインＣＰＵ６４は、ゲーム開始時の初期化処理を行う（図１５，Ｓ１参照）。具体的には、制御ＲＡＭ６６の記憶内容の初期化、通信データの初期化等を行う。この初期化処理の際に上述した設定ボタンおよびリセットボタンが操作されると、出玉率の設定値（“１”，“４”，“６”，“Ｈｉｇｈ”）の変更処理が行なわれる。続いて、メインＣＰＵ６４は、ゲーム終了時の指定格納領域のクリア処理を行う（Ｓ２）。この処理では、前回のゲームに使用された制御ＲＡＭ６６における指定格納領域がクリアされる。
【００９７】
次に、メインＣＰＵ６４は、後述するボーナス作動監視処理を行ない（Ｓ３）、続いて、後述するメダル投入・スタートチェック処理を行う（Ｓ４）。続いて、メインＣＰＵ６４は、乱数発生器６９で発生した抽籤用の乱数値をサンプリング回路７０によって抽出し、抽出した乱数値を制御ＲＡＭ６６の乱数値格納領域に格納する（Ｓ５）。続いて、メインＣＰＵ６４は、遊技状態監視処理を行い（Ｓ６）、後述する内部抽籤処理を行う（Ｓ７）。遊技状態監視処理では、そのときの遊技状態を示す識別子を遊技状態格納領域にセットすると共に、このセットした識別子に基づく遊技状態の変更情報を含む遊技状態変更コマンドを、制御ＲＡＭ６６の通信データ記憶領域にセットする。続いて、メインＣＰＵ６４は、スタートコマンドを制御ＲＡＭ６６の通信データ記憶領域にセットする（Ｓ８）。スタートコマンドは、Ｓ６で識別した遊技状態、Ｓ７の内部抽籤処理で抽籤した当籤役等の情報を含むコマンドである。
【００９８】
次に、メインＣＰＵ６４は、前回のリール回転開始から４．１秒が経過したか否かを判別する（Ｓ９）。この判別が“ＮＯ”のときは、４．１秒が経過するまで待ち時間消化処理（Ｓ１０）が行われる。待ち時間消化処理では、遊技者のゲームを開始する操作に基づく入力を無効にする処理（ここでは、リール２〜４の回転の開始を待機させる処理）が行われる。
【００９９】
前回のリール回転開始から４．１秒が経過すると、メインＣＰＵ６４は、全リール２〜４の回転開始を要求し（Ｓ１１）、全リール２〜４の回転を開始させる。続いて、メインＣＰＵ６４は、リール２〜４の回転を停止制御する後述するリール停止制御処理を行なう（Ｓ１２）。続いて、メインＣＰＵ６４は、シンボル組合せテーブル（図８参照）を参照し、有効化入賞ライン上に沿って表示されるシンボルの組合わせに基づいて、表示役および払出枚数を決定する（Ｓ１３）。このとき、決定された表示役と内部当籤役とが異なる誤りがある場合には、配当枚数表示部２０および液晶パネル１１０にイリーガルエラーを表示する。
【０１００】
次に、メインＣＰＵ６４は、表示役コマンドを制御ＲＡＭ６６の通信データ記憶領域にセットする（Ｓ１４）。表示役コマンドは、Ｓ１３で決定した表示役の種類などを含んだコマンドである。続いて、メインＣＰＵ６４は、メダル払出処理を行う（Ｓ１５）。この処理では、クレジットで遊技が行われている状態であれば、入賞によって獲得したメダル枚数分、貯留枚数表示部１６に表示される貯留枚数が増加され、また、投入口８へのメダル投入で遊技が行われている状態であれば、入賞によって獲得した枚数のメダルがメダル受皿３４へ払い出される。
【０１０１】
次に、メインＣＰＵ６４は、払出終了コマンドを制御ＲＡＭ６６の通信データ記憶領域にセットする。払出終了コマンドは、Ｓ１５のメダル払出処理が終了したことを表す情報を含むコマンドである。続いて、メインＣＰＵ６４は、メダルの払出枚数に基づいて、ボーナス終了枚数カウンタを更新する（Ｓ１６）。つまり、ＢＢゲームが行なわれていてボーナス終了枚数カウンタの値が１以上であれば、メダルの払出枚数に応じて当該カウンタを減算する。続いて、メインＣＰＵ６４は、ＢＢ作動中フラグまたはＲＢ作動中フラグが“オン”であるか否かを判別し（Ｓ１７）、この判別が“ＹＥＳ”である場合には、後述するボーナス終了チェック処理を行い（Ｓ１８）、Ｓ１７の判別が“ＮＯ”である場合には、後述するボーナス作動チェック処理を行う（Ｓ１９）。Ｓ１９の処理の後、遊技処理はＳ２に戻って次の新たな単位遊技が開始される。
【０１０２】
次に、図１６を参照して、図１５，Ｓ３で行われるボーナス作動監視処理について説明する。
【０１０３】
このボーナス作動監視処理では、まず、メインＣＰＵ６４は、ＢＢ作動中フラグが“オン”であるか否かを判別する（図１６，Ｓ３１参照）。この判別が“ＹＥＳ”である場合、メインＣＰＵ６４は、ＲＢ作動中フラグが“オン”であるか否かを判別する（Ｓ３２）。Ｓ３１の判別が“ＮＯ”である場合、または、Ｓ３２の判別が“ＹＥＳ”である場合、ボーナス作動監視処理は終了する。一方、ＲＢ作動中フラグが“オフ”であってＳ３２の判別が“ＮＯ”である場合、メインＣＰＵ６４は、ボーナス作動時テーブル（図１２参照）に基づいてＲＢ作動時処理を行なう（Ｓ３３）。このＲＢ作動時処理では、作動中フラグ格納領域（図１３（ｃ）参照）のＲＢ作動中フラグを“オン”にする処理、ならびに、ボーナス作動時テーブル（図１２参照）を参照して遊技可能回数カウンタ格納領域および入賞可能回数カウンタ格納領域に、ＲＢ遊技状態における遊技回数および入賞回数の上限値である“１２”，“８”をそれぞれセットする処理が行なわれる。Ｓ３３の処理が終了すると、ボーナス作動監視処理は終了する。
【０１０４】
次に、図１７を参照して、図１５，Ｓ４で行われるメダル投入・スタートチェック処理について説明する。
【０１０５】
このメダル投入・スタートチェック処理では、まず、メインＣＰＵ６４は、自動投入カウンタの値が“０”であるか否か、つまり、前回の単位遊技において表示役が「リプレイ」でなく、メダルの自動投入が行われないか否かを判別する（図１７，Ｓ４１参照）。自動投入カウンタは、リプレイの表示役が成立したときの単位遊技に賭けられたメダルの枚数を計数するカウンタである。Ｓ４１の判別が“ＹＥＳ”の場合、メダルの自動投入が行なわれないため、メインＣＰＵ６４は、投入口８からのメダルの通過を許可する処理を行なう（Ｓ４２）。一方、Ｓ４１の判別が“ＮＯ”の場合、メインＣＰＵ６４は、自動投入カウンタの値を投入枚数カウンタに複写して（Ｓ４３）、前回の単位遊技と同じ枚数のメダルを今回の単位遊技に賭ける自動投入処理を行う。投入枚数カウンタは、投入口８からのメダル投入または貯留メダル投入ボタン２６〜２８の操作によって、パチスロ機１に投入されたメダルの枚数を計数するカウンタである。続いて、メインＣＰＵ６４は、自動投入カウンタの値をクリアする処理を行なう（Ｓ４４）。
【０１０６】
Ｓ４２またはＳ４４の処理が終了すると、メインＣＰＵ６４は、投入枚数カウンタの最大値を“３”にセットする（Ｓ４５）。続いて、メインＣＰＵ６４は、作動中フラグ格納領域（図１３（ｃ）参照）を参照して、ＢＢ作動中フラグまたはＲＢ作動中フラグが“オン”であるか否かを判別し（Ｓ４６）、この判別が“ＹＥＳ”の場合、Ｓ４５でセットした投入枚数カウンタの最大値を“３”から“２”に変更する（Ｓ４７）。Ｓ４５およびＳ４７の処理により、一般遊技状態では、メダル３枚賭けの遊技が行なわれ、ＲＢ遊技状態では、メダル２枚賭けの遊技が行なわれることになる。
【０１０７】
次に、メインＣＰＵ６４は、投入メダルセンサ８Ｓからの出力信号に基づいて、投入口８からのメダルの通過があったか否かを判別する（図１８，Ｓ４８参照）。この判別が“ＹＥＳ”の場合、メインＣＰＵ６４は、投入枚数カウンタの値が最大値（２枚または３枚）に達しているか否かを判別する（Ｓ４９）。投入枚数カウンタの値が最大値に達していてＳ４９の判別が“ＹＥＳ”の場合、メインＣＰＵ６４は、Ｓ４８で検出されたメダルを機械内部にクレジットし、クレジットカウンタに“１”を加算する（Ｓ５４）。クレジットカウンタは、機械内部にクレジットされているメダル枚数を計数するカウンタであり、このクレジットカウンタの値が、上述した貯留枚数表示部１６に表示される。一方、Ｓ４９の判別が“ＮＯ”の場合、メインＣＰＵ６４は、投入枚数カウンタに“１”を加算する（Ｓ５０）。続いて、メインＣＰＵ６４は、有効ラインカウンタに“５”を格納し（Ｓ５１）、５本の入賞ラインＬ１，Ｌ２Ａ，Ｌ２Ｂ，Ｌ３Ａ，Ｌ３Ｂを全て有効化させる。有効ラインカウンタは、有効化入賞ラインの本数を計数するカウンタである。本実施形態では、メダルが投入されたときの有効ラインカウンタの値は、投入枚数にかかわらず、“５”となる。続いて、メインＣＰＵ６４は、メダル投入コマンドを制御ＲＡＭ６６の通信データ記憶領域にセットする（Ｓ５２）。メダル投入コマンドは、投入枚数カウンタの値や有効化した入賞ラインの数などの情報を含むコマンドである。
【０１０８】
Ｓ４８の判別が“ＮＯ”の場合、メインＣＰＵ６４は、ベットスイッチによりベット操作が検出されたか否かを判別する（Ｓ５３）。この処理では、貯留メダル投入ボタン２６〜２８の操作を貯留メダル投入スイッチ２６Ｓ〜２８Ｓが検知したか否かをチェックする。貯留メダル投入ボタン２６〜２８の操作を貯留メダル投入スイッチ２６Ｓ〜２８Ｓが検知して、Ｓ５３の判別が“ＹＥＳ”の場合、上述したＳ５１およびＳ５２の処理が行なわれる。Ｓ５１およびＳ５２の処理が終了すると、続いて、メインＣＰＵ６４は、投入口８へのメダル投入または貯留メダル投入ボタン２６〜２８の操作によって、投入枚数カウンタの値が最大値（２枚または３枚）になったか否かを判別する（Ｓ５５）。この判別が“ＹＥＳ”である場合、またはＳ５４の処理が終了すると、メインＣＰＵ６４は、スタートレバー３０に対する操作が行なわれてスタートスイッチ３０Ｓが“オン”になったか否かを判別する（Ｓ５６）。
【０１０９】
Ｓ５３、Ｓ５５またはＳ５６の判別が“ＮＯ”である場合、処理はＳ４８に戻り、上述の処理が繰り返される。一方、Ｓ５６の判別が“ＹＥＳ”の場合、メインＣＰＵ６４は、図１７，Ｓ４２で許可した投入口８からのメダルの通過を禁止する処理を行なう（Ｓ５７）。Ｓ５７の処理が終了すると、メダル投入・スタートチェック処理は終了する。
【０１１０】
次に、図１９を参照して、図１５，Ｓ７で行われる内部抽籤処理について説明する。
【０１１１】
この内部抽籤処理において、まず、メインＣＰＵ６４は、内部抽籤テーブル決定テーブル（図９参照）を参照して、内部抽籤テーブルの種別と抽籤回数を決定する（図１９，Ｓ７１参照）。続いて、持越役格納領域（図１３（ｂ）参照）のデータが“０”であるか否か、つまり、持越役がないか否かを判別する（Ｓ７２）。持越役があってＳ７２の判別が“ＮＯ”の場合、メインＣＰＵ６４は、抽籤回数を“５”に変更し、内部当籤状態のときには、当籤番号６のＢＢ１または当籤番号７のＢＢ２が重複して決定されないようにする（Ｓ７３）。
【０１１２】
Ｓ７２の判別が“ＹＥＳ”の場合、またはＳ７３の処理の後、メインＣＰＵ６４は、Ｓ７１またはＳ７３でセットした抽籤回数と同じ値を当籤番号としてセットする（Ｓ７４）。従って、一般遊技状態時には“７”、ＲＢ遊技状態時には“４”、内部当籤（持越）状態時には“５”が、それぞれ当籤番号としてセットされることになる。
【０１１３】
次に、メインＣＰＵ６４は、Ｓ７１で決定した内部抽籤テーブル（図１０（ａ），（ｂ）参照）を参照して、図１５，Ｓ５の処理で乱数値格納領域にセットされている乱数値Ｒと、下限値Ｌおよび上限値Ｕとを比較する（Ｓ７５）。この下限値Ｌおよび上限値Ｕは、設定値記憶領域にセットされている出玉率の設定値に応じた内部抽籤テーブルが参照されて、Ｓ７４でセットした当籤番号に対応したものが用いられる。次に、メインＣＰＵ６４は、乱数値Ｒが下限値Ｌ以上（Ｌ≦Ｒ）且つ上限値Ｕ以下（Ｒ≦Ｕ）であるか否かを判別する（Ｓ７６）。この判別が“ＹＥＳ”の場合、メインＣＰＵ６４は、内部当籤役決定テーブル（図１１参照）を参照し、そのときの当籤番号に基づいて内部当籤役を決定する（Ｓ７７）。続いて、メインＣＰＵ６４は、Ｓ７７で決定した内部当籤役と持越役格納領域（図１３（ｂ）参照）との論理和を内部当籤役格納領域（図１３（ａ）参照）に格納する（Ｓ７８）。Ｓ７６の判別が“ＮＯ”の場合、または、Ｓ７８の処理が終了すると、次に、メインＣＰＵ６４は、抽籤回数を“１”減算し（Ｓ７９）、続いて、抽籤回数が“０”になったか否かを判別する（Ｓ８０）。
【０１１４】
Ｓ８０の判別が“ＮＯ”のとき、処理はＳ７４に戻り、上述の処理が繰り返される。本実施形態では、一般遊技状態であって、乱数値Ｒが７０００〜７１９９の数値範囲の範囲にあるときには、上記のＳ７４〜Ｓ８０の処理で、当籤番号４の「スイカ」の小役および当籤番号６の「ＢＢ１」が同時に当籤役として決定され、乱数値Ｒが７２００〜７３９９の数値範囲の範囲にあるときには、上記のＳ７４〜Ｓ８０の処理で、当籤番号４の「スイカ」の小役および当籤番号７の「ＢＢ２」が同時に当籤役として決定されることになる（図１０（ａ）参照）。一方、Ｓ８０の判別が“ＹＥＳ”のとき、メインＣＰＵ６４は、内部当籤役格納領域（図１３（ａ））と持越役格納領域（図１３（ｂ））との論理和を持越役格納領域に格納し（Ｓ８１）、持越役格納領域に内部当籤役の種類に応じた持越役のビットを立てる。続いて、メインＣＰＵ６４は、内部当籤役格納領域と持越役格納領域との論理和を内部当籤役格納領域に格納し（Ｓ８２）、内部抽籤処理を終了する。
【０１１５】
次に、図２０を参照して、図１５，Ｓ１２で行われるリール停止制御処理について説明する。
【０１１６】
リール停止制御処理では、まず、メインＣＰＵ６４は、リール２〜４の回転が定速になって操作が有効ないずれかの停止ボタン（ストップボタン）３１〜３３が押圧操作されたか否かを判別する（図２０，Ｓ１１１参照）。この判別が“ＮＯ”である場合、Ｓ１１１の判別が繰り返して行なわれる。いずれかの停止ボタン３１〜３３が押圧操作されて、Ｓ１１１の判別が“ＹＥＳ”になると、メインＣＰＵ６４は、押圧操作された停止ボタンの押圧操作を無効化する（Ｓ１１２）。続いて、メインＣＰＵ６４は、チェック回数として“５”を制御ＲＡＭ６６の所定領域にセットする（Ｓ１１３）。続いて、メインＣＰＵ６４は、各リール２〜４において、図柄カウンタによって有効化入賞ライン上に位置していると識別されているシンボルの位置からＳ１１３でセットしたチェック回数分の範囲内、すなわち、有効化入賞ライン上に位置するシンボルを含めてこのシンボルから５コマ分の範囲内において、停止させる優先順位の最も高いシンボル位置を検索する（Ｓ１１４）。図柄カウンタは、左，中，右の各リール２〜４のシンボルに割り当てられた“０”〜“２０”のコードナンバーを計数するカウンタであり、リール２〜４が１回転する毎にリセットされるものである。
【０１１７】
次に、メインＣＰＵ６４は、Ｓ１１４の検索の結果に基づいて、押圧操作された停止ボタンに対応するリールの滑りコマ数を決定する（Ｓ１１５）。続いて、メインＣＰＵ６４は、停止制御位置待ち状態へ処理を移行させる（Ｓ１１６）。この処理では、メインＣＰＵ６４は、Ｓ１１５で決定した滑りコマ数分、リールが回転するのを待つ。具体的には、メインＣＰＵ６４は、押圧操作された停止ボタンに対応するリールについて、停止ボタンが押圧操作されたときに有効化入賞ライン上に位置するシンボルから、Ｓ１１５で決定された滑りコマ数分離れた位置にあるシンボルが有効化入賞ライン上まで移動して停止するのを待つ。続いて、メインＣＰＵ６４は、リール停止コマンドを制御ＲＡＭ６６の通信データ記憶領域にセットする（Ｓ１１７）。リール停止コマンドは、押圧操作によって停止させられたリールの種別の情報を含むコマンドである。
【０１１８】
次に、メインＣＰＵ６４は、押圧操作が有効な停止ボタン３１〜３３があるか否かを判別し（Ｓ１１８）、この判別が“ＹＥＳ”のときには、上述したＳ１１１〜Ｓ１１７の処理を繰り返す。一方、Ｓ１１８の判別が“ＮＯ”である場合、リール停止制御処理は終了する。
【０１１９】
次に、図２１を参照して、図１５，Ｓ１８で行われるボーナス終了チェック処理について説明する。
【０１２０】
このボーナス終了チェック処理では、まず、メインＣＰＵ６４は、小役の入賞が成立したか否か、つまり、図１５，Ｓ１３の処理で表示役として小役が決定されたか否かを判別する（図２１，Ｓ１４１参照）。この判別が“ＹＥＳ”である場合、メインＣＰＵ６４は、図１５，Ｓ１６のボーナス終了枚数カウンタの更新処理によって、ボーナス終了枚数カウンタの値が“０”になったか否かを判別する（Ｓ１４２）。この判別が“ＹＥＳ”である場合、メインＣＰＵ６４はＢＢ終了時処理を行う（Ｓ１４３）。このＢＢ終了時処理では、メインＣＰＵ６４は、作動中フラグ格納領域（図１３（ｃ）参照）のＢＢ作動中フラグを“オフ”にすると共に、ＲＢ作動中フラグを“オフ”にする等のＲＢ終了時処理を行なう。続いて、メインＣＰＵ６４は、ボーナス終了コマンドを制御ＲＡＭ６６の通信データ記憶領域にセットする（Ｓ１４４）。ボーナス終了コマンドは、ＢＢゲームの終了情報を含むコマンドである。
【０１２１】
また、ＢＢゲーム中のメダル払出枚数の総数が３００枚に達していなくてボーナス終了枚数カウンタの値が“０”になっておらず、Ｓ１４２の判別が“ＮＯ”である場合、メインＣＰＵ６４は、入賞可能回数カウンタの値を“１”減算する処理を行ない（Ｓ１４５）、続いて、入賞可能回数カウンタの値が“０”になったか否かを判別する（Ｓ１４６）。ＲＢゲームにおける入賞回数が８回に達していなくてＳ１４６の判別が“ＮＯ”である場合、または、今回の単位遊技で小役の入賞が成立していなくてＳ１４１の判別が“ＮＯ”である場合、メインＣＰＵ６４は、遊技可能回数カウンタの値を“１”減算する処理を行なう（Ｓ１４７）。続いて、メインＣＰＵ６４は、遊技可能回数カウンタの値が“０”になったか否かを判別する（Ｓ１４８）。
【０１２２】
ＲＢゲームにおける入賞回数が８回に達していてＳ１４６の判別が“ＹＥＳ”である場合、または、ＲＢゲームにおける遊技回数が１２回に達していてＳ１４８の判別が“ＹＥＳ”である場合、メインＣＰＵ６４は、ＲＢ終了時処理を行なう（Ｓ１４９）。このＲＢ終了時処理では、メインＣＰＵ６４は、遊技可能回数カウンタおよび入賞可能回数カウンタをクリアする処理、ならびに、作動中フラグ格納領域（図１３（ｃ）参照）のＲＢ作動中フラグを“オフ”にする処理などを行なう。Ｓ１４８の判別が“ＮＯ”である場合、またはＳ１４４もしくはＳ１４９の処理が終了すると、ボーナス終了チェック処理は終了する。
【０１２３】
次に、図２２を参照して、図１５，Ｓ１９で行われるボーナス作動チェック処理について説明する。
【０１２４】
このボーナス作動チェック処理では、まず、メインＣＰＵ６４は、図１５，Ｓ１３で決定されている表示役がＢＢ１またはＢＢ２であるか否かを判別する（図２２，Ｓ１６１参照）。この判別が“ＹＥＳ”である場合には、ボーナス作動時テーブル（図１２参照）に基づいてボーナス作動時処理を行なう（Ｓ１６２）。このボーナス作動時処理では、メインＣＰＵ６４は、作動中フラグ格納領域（図１３（ｃ）参照）のＢＢ作動中フラグを“オン”にする処理、ならびに、ボーナス作動時テーブル（図１２参照）を参照してＢＢゲーム中に獲得できるメダル枚数である“３００”をボーナス終了枚数カウンタに初期値として格納する処理などを行なう。続いて、メインＣＰＵ６４は、持越役格納領域（図１３（ｂ）参照）をクリアし（Ｓ１６３）、ボーナス開始コマンドを制御ＲＡＭ６６の通信データ記憶領域にセットする（Ｓ１６４）。ボーナス開始コマンドは、ＢＢゲームの開始情報を含むコマンドである。
【０１２５】
また、表示役がＢＢ１またはＢＢ２のいずれでもなくて、Ｓ１６１の判別が“ＮＯ”である場合、または、Ｓ１６４の処理が終了すると、ボーナス作動チェック処理は終了する。
【０１２６】
次に、図２３を参照して、１．１１７３［msec］毎にメイン制御基板６１で行われる割込処理について説明する。
【０１２７】
この割込処理において、まず、メインＣＰＵ６４は、メインＣＰＵ６４のレジスタに格納されたデータを制御ＲＡＭ６６の所定領域に一旦退避させる（図２３、Ｓ２０１参照）。続いて、メインＣＰＵ６４は、入力ポートチェック処理を行う（Ｓ２０２）。入力ポートチェック処理では、投入メダルセンサ８Ｓやスタートスイッチ３０Ｓ等の上述した入力信号発生手段からＩ／Ｏポート７１に入力された信号の有無をチェックし、入力された信号があるときはそれを取得する。続いて、メインＣＰＵ６４は通信データ送信処理を行う（Ｓ２０３）。通信データ送信処理では、メイン制御基板６１における制御ＲＡＭ６６の通信データ記憶領域にセットされたコマンド（図１５，Ｓ８，Ｓ１４、図１８，Ｓ５２、図２０，Ｓ１１７、図２１，Ｓ１４４、図２２，Ｓ１６４参照）が、サブ制御基板６２ａのシリアルポート８０ａへ送信される。
【０１２８】
次に、メインＣＰＵ６４は、リール２〜４の回転を制御するリール制御処理を行い（Ｓ２０４）、続いて、ランプ・７ＳＥＧ駆動処理を行う（Ｓ２０５）。ランプ・７ＳＥＧ駆動処理では、各種ランプ（ベットランプ１３〜１５、スタートランプ１７、ＷＩＮランプ１９、インサートランプ２１）を、各ランプの点灯または消灯のタイミングに応じて点灯または消灯すると共に、貯留枚数表示部１６やボーナスカウント表示部１８、配当枚数表示部２０などの７ＳＥＧを表示数値に応じて点灯または消灯する処理を画像制御ＣＰＵ８１および音・ランプ制御ＣＰＵ９０に行わせるコマンドを、サブ制御基板６２ａに送信する処理を行う。続いて、メインＣＰＵ６４は、Ｓ２０１で制御ＲＡＭ６６の所定領域に退避させたデータをレジスタに復帰させ（Ｓ２０６）、割込処理を終了する。
【０１２９】
次に、図２４〜図３０を参照して、サブ制御基板６２ａの画像制御ＣＰＵ８１によって制御される遊技処理について説明する。
【０１３０】
図２４は、パチスロ機１の電源が投入されたときにサブ制御基板６２ａの画像制御ＣＰＵ８１によって行われる電源投入時処理の概略を示すフローチャートである。
【０１３１】
まず、パチスロ機１に電源が投入されると、画像制御ＣＰＵ８１は初期化処理を行う（図２４，Ｓ３０１参照）。この処理では、画像制御ＣＰＵ８１は、ワークＲＡＭ８３、制御ＲＡＭ８８およびビデオＲＡＭ８９のエラーチェックを行い、各タスクグループに属する処理に用いられるワークＲＡＭ８３、制御ＲＡＭ８８およびビデオＲＡＭ８９の初期化を行う。続いて、画像制御ＣＰＵ８１は、ランプ制御タスクを起動させる（Ｓ３０２）。このランプ制御タスクの起動処理により、２［msec］ごとに音・ランプ制御ＣＰＵ９０の制御によるランプ類９８およびＬＥＤ類９９の点灯状態を制御する処理が行われる。続いて、画像制御ＣＰＵ８１は、サウンド制御タスクを起動させる（Ｓ３０３）。このサウンド制御タスクの起動処理により、２［msec］ごとに音・ランプ制御ＣＰＵ９０の制御によるスピーカ１０１，１０１からの出音状態を制御する処理が行われる。続いて、画像制御ＣＰＵ８１は、マザータスクを起動させる（Ｓ３０４）。このマザータスクの起動処理により、後述するマザータスク処理（図２５）が行われる。Ｓ３０４の処理が終了すると、電源投入時処理は終了する。
【０１３２】
図２５は、図２４，Ｓ３０４の処理で起動させられることで行われるマザータスク処理の詳細を示す図である。
【０１３３】
マザータスク処理では、まず、画像制御ＣＰＵ８１は、ＶＳＹＮＣ割込同期のタスクグループに属する描画タスクを起動させる（図２５，Ｓ３１１参照）。この描画タスクの起動処理により、描画タスク処理が行われる。描画タスク処理では、液晶パネル１１０に表示させる画像データの決定などを行う処理が行われる。続いて、画像制御ＣＰＵ８１は、主基板通信タスクを起動させる（Ｓ３１２）。この主基板通信タスクの起動処理により、コマンド受信割込同期のタスクグループに属する後述する主基板通信タスク処理（図２６）が行われる。続いて、画像制御ＣＰＵ８１は、演出登録タスクを起動させる（Ｓ３１３）。この演出登録タスクの起動処理により、コマンド受信割込同期のタスクグループに属する後述する演出登録タスク処理（図２７）が行われる。続いて、画像制御ＣＰＵ８１は、同一グループに属するＶＳＹＮＣ割込同期のタスクグループの次のタスクを実行する処理を行い（Ｓ３１４）、以後、このＳ３１４の処理を繰り返し行う。
【０１３４】
図２６は、図２５，Ｓ３１２の処理で起動させられる主基板通信タスク処理の詳細を示す図である。
【０１３５】
主基板通信タスク処理では、まず、画像制御ＣＰＵ８１は、メイン制御基板６１から送信されたコマンドが一時的に格納される送信メッセージキューを参照して、メイン制御基板６１からコマンドを受信したか否かのチェックを行う（図２６，Ｓ３３１参照）。Ｓ３３１の処理が終了すると、続いて、画像制御ＣＰＵ８１は、受信したコマンドの種別を抽出し（Ｓ３３２）、前回とは異なるコマンドを受信したか否かを判別する（Ｓ３３３）。この判別が“ＮＯ”である場合、処理はＳ３３１に戻り、上述したＳ３３１およびＳ３３２の処理が繰り返される。一方、前回とは異なるコマンドを受信してＳ３３３の判別が“ＹＥＳ”である場合には、画像制御ＣＰＵ８１は、この新たに受信したコマンドに含まれる情報から、内部当籤役や、遊技状態、出玉率の設定値などの遊技情報を取得し、取得した遊技情報のデータをメッセージキューに格納する（Ｓ３３４）。Ｓ３３４の処理が終了すると、処理はＳ３３１に戻り、上述した処理が繰り返される。
【０１３６】
図２７は、図２５，Ｓ３１３の処理で起動させられる演出登録タスク処理の詳細を示す図である。
【０１３７】
演出登録タスクの処理では、まず、画像制御ＣＰＵ８１は、主基板通信タスク処理でメッセージキューに格納されたコマンドを取り出す（図２７，Ｓ３６１参照）。続いて、画像制御ＣＰＵ８１は、Ｓ３６１で取り出したコマンドにメッセージデータが含まれているか否かを判別する（Ｓ３６２）。この判別が“ＹＥＳ”である場合、画像制御ＣＰＵ８１が、コマンドに含まれるメッセージデータから遊技情報を抽出してワークＲＡＭ８３に複写し（Ｓ３６３）、続いて、後述する演出内容決定処理（図２８）を行う（Ｓ３６４）。
【０１３８】
Ｓ３６１で取り出したコマンドにメッセージデータが含まれていなくて、Ｓ３６２の判別が“ＮＯ”である場合、または、Ｓ３６４の処理が終了すると、画像制御ＣＰＵ８１は、Ｓ３６４の演出内容決定処理で決定された演出データに基づいて、液晶パネル１１０の表示内容を制御するためのアニメーションデータを決定し、決定したアニメーションデータをワークＲＡＭ８３の所定領域に登録する（Ｓ３６５）。続いて、画像制御ＣＰＵ８１は、スタートレバー３０や停止ボタン３１〜３３の操作に応じてスピーカ１０１，１０１から効果音を出力させるための効果音データを含む信号を、サブ制御基板６２ｂの音・ランプ制御ＣＰＵ９０に送信するサウンド演出リクエスト処理を行う（Ｓ３６６）。続いて、画像制御ＣＰＵ８１は、ランプ類９８およびＬＥＤ類９９の点灯状態を制御するためのＬＥＤデータを決定し、決定したＬＥＤデータをワークＲＡＭ８３の所定領域に登録すると共に（Ｓ３６７）、サブ制御基板６２ｂの音・ランプ制御ＣＰＵ９０に送信する。Ｓ３６７の処理が終了すると、処理はＳ３６１に戻り、上述した処理が繰り返される。
【０１３９】
図２８は、図２７のＳ３６４に示す演出内容決定処理の詳細を示すフローチャートである。
【０１４０】
演出内容決定処理では、まず、画像制御ＣＰＵ８１は、スタートレバー３０の操作時にメイン制御基板６１から送信されるスタートコマンド（図１５，Ｓ８参照）を受信しているか否かを判別する（図２８，Ｓ３８１参照）。この判別が“ＹＥＳ”である場合、画像制御ＣＰＵ８１は、後述する演出抽籤処理を行い（Ｓ３８２）、続いて、後述するウィンドウ移動処理を行う（Ｓ３８３）。
【０１４１】
また、Ｓ３８１の判別が“ＮＯ”である場合、画像制御ＣＰＵ８１は、表示役が成立したときにメイン制御基板６１から送信される表示役コマンド（図１５，Ｓ１４参照）を受信しているか否かを判別する（Ｓ３８４）。この判別が“ＹＥＳ”である場合、画像制御ＣＰＵ８１は、表示役コマンドに含まれる表示役の種別等のデータに応じて演出データをワークＲＡＭ８３の所定領域にセットする処理を行う（Ｓ３８５）。続いて、画像制御ＣＰＵ８１は、ウィンドウ移動済フラグを“オフ”にし、サブ制御基板６２ｂの音・ランプ制御ＣＰＵ９０に、赤ウィンドウ１１１および青ウィンドウ１１２を移動終了位置Ｂから元の移動開始位置Ａに移動させる制御を行わせるための制御信号を送信する処理を行う（Ｓ３８６）。ウィンドウ移動済フラグは、赤ウィンドウ１１１および青ウィンドウ１１２が移動開始位置Ａから移動終了位置Ｂに移動済みであるか否かを識別する際に、画像制御ＣＰＵ８１によって参照されるフラグである。なお、Ｓ３８６の処理によって赤ウィンドウ１１１および青ウィンドウ１１２が元の移動開始位置Ａに戻ると、「演出Ｆ」〜「演出Ｈ」の演出識別子に基づく後述する立体視画像１１５の表示（図２９，Ｓ４０５参照）は終了する。
【０１４２】
また、Ｓ３８４の判別が“ＮＯ”である場合、画像制御ＣＰＵ８１は、ＢＢゲームの作動時にメイン制御基板６１から送信されるボーナス開始コマンド（図２２，Ｓ１６４参照）を受信しているか否かを判別する（Ｓ３８７）。この判別が“ＹＥＳ”である場合、画像制御ＣＰＵ８１は、ワークＲＡＭ８３の所定領域にＲＢ遊技状態（サブ）の識別子をセットする（Ｓ３８８）。ＲＢ遊技状態（サブ）の識別子は、サブ制御基板６２ａ，６２ｂにおいてＲＢ遊技状態の識別に用いられる識別子である。また、Ｓ３８７の判別が“ＮＯ”である場合、画像制御ＣＰＵ８１は、ＢＢゲームの終了時にメイン制御基板６１から送信されるボーナス終了コマンド（図２１，Ｓ１４４参照）を受信しているか否かを判別する（Ｓ３８９）。この判別が“ＹＥＳ”である場合、画像制御ＣＰＵ８１は、ワークＲＡＭ８３の所定領域に一般遊技状態（サブ）の識別子をセットする（Ｓ３９０）。一般遊技状態（サブ）の識別子は、サブ制御基板６２ａ，６２ｂにおいて一般遊技状態の識別に用いられる識別子である。
【０１４３】
Ｓ３８９の判別が“ＮＯ”である場合、または、Ｓ３８３，Ｓ３８６，Ｓ３８８もしくはＳ３９０の処理が終了すると、演出内容決定処理は終了する。
【０１４４】
上記の演出内容決定処理でワークＲＡＭ８３にセットされた演出データが、上述した演出登録タスク処理（図２７，Ｓ３６５〜Ｓ３６７参照）においてワークＲＡＭ８３の所定領域にセットされることにより、セットされた演出データに応じた演出が実行される。
【０１４５】
図２９は、図２８のＳ３８２に示す演出抽籤処理の詳細を示すフローチャートである。
【０１４６】
演出抽籤処理では、まず、画像制御ＣＰＵ８１は、ワークＲＡＭ８３にＲＢ遊技状態（サブ）の識別子がセットされているか否かを判別する（図２９，Ｓ４０１参照）。この判別が“ＹＥＳ”である場合、画像制御ＣＰＵ８１は、ＲＢ遊技状態用演出決定テーブル（図１４（ｃ）参照）を参照し、当籤役の種別に基づいて「演出Ｉ」〜「演出Ｋ」のいずれかの演出識別子を決定する（Ｓ４０２）。また、ワークＲＡＭ８３にＲＢ遊技状態（サブ）の識別子がセットされていなくてＳ４０１の判別が“ＮＯ”である場合、つまり、一般遊技状態である場合、画像制御ＣＰＵ８１は、一般遊技状態用演出決定テーブルＡ（図１４（ａ）参照）を参照し、当籤役の種別に基づいて「演出なし」または「演出Ａ」〜「演出Ｅ」のいずれかの演出識別子を決定する（Ｓ４０３）。
【０１４７】
次に、画像制御ＣＰＵ８１は、ワークＲＡＭ８３の内部当籤役格納領域（サブ）を参照し、今回の単位遊技における当籤役が「スイカ」の小役であるか否かを判別する（Ｓ４０４）。この判別が“ＹＥＳ”である場合、画像制御ＣＰＵ８１は、一般遊技状態用演出決定テーブルＢ（図１４（ｂ）参照）を参照し、当籤役の種別に基づいて「演出Ｆ」〜「演出Ｈ」のいずれかの演出識別子を決定する（Ｓ４０５）。続いて、画像制御ＣＰＵ８１は、ウィンドウ移動フラグを“オン”にする（Ｓ４０６）。ウィンドウ移動フラグは、赤ウィンドウ１１１および青ウィンドウ１１２を移動開始位置Ａから移動終了位置Ｂに向かって移動させるか否かを決定する際に、画像制御ＣＰＵ８１によって参照されるフラグである。
【０１４８】
Ｓ４０４の判別が“ＮＯ”である場合、または、Ｓ４０２もしくはＳ４０６の処理が終了すると、画像制御ＣＰＵ８１は、決定した演出識別子（Ｓ４０２，Ｓ４０３，Ｓ４０５参照）に基づいて、ワークＲＡＭ８３の所定領域に演出データをセットし（Ｓ４０７）、演出抽籤処理を終了する。
【０１４９】
図３０は、図２８のＳ３８３に示すウィンドウ移動処理の詳細を示すフローチャートである。
【０１５０】
ウィンドウ移動処理では、まず、画像制御ＣＰＵ８１は、ウィンドウ移動フラグが“オン”になっているか否かを判別する（図３０，Ｓ４１１参照）。この判別が“ＹＥＳ”である場合、続いて、画像制御ＣＰＵ８１は、赤ウィンドウ１１１および青ウィンドウ１１２がいずれも移動開始位置Ａにあるか否かを判別する（Ｓ４１２）。Ｓ４１１またはＳ４１２の判別が“ＮＯ”である場合、ウィンドウ移動処理は終了する。一方、Ｓ４１２の判別が“ＹＥＳ”である場合、画像制御ＣＰＵ８１は、サブ制御基板６２ｂの音・ランプ制御ＣＰＵ９０に、赤ウィンドウ１１１および青ウィンドウ１１２を移動開始位置Ａから移動終了位置Ｂに向かって移動させる制御を行わせるための制御信号を送信して、各ウィンドウ１１１，１１２を移動させる処理を開始する（Ｓ４１３）。
【０１５１】
次に、画像制御ＣＰＵ８１は、各ウィンドウ１１１，１１２が移動終了位置Ｂにあるか否かを判別する（Ｓ４１４）。このＳ４１４の判別は、“ＹＥＳ”になるまで繰り返し行われる。Ｓ４１４の判別が“ＹＥＳ”になると、続いて、画像制御ＣＰＵ８１は、サブ制御基板６２ｂの音・ランプ制御ＣＰＵ９０に、各ウィンドウ１１１，１１２の移動を停止させる制御を行わせるための制御信号を送信する処理を行う（Ｓ４１５）。続いて、画像制御ＣＰＵ８１は、ウィンドウ移動フラグを“オフ”にすると共に（Ｓ４１６）、ウィンドウ移動済フラグを“オン”にする（Ｓ４１７）。Ｓ４１７の処理が終了すると、ウィンドウ移動処理は終了する。
【０１５２】
このような本実施形態によるパチスロ機１によれば、上述したように、「ＢＢ１」または「ＢＢ２」と同時に当籤役として決定されることがある「スイカ」の小役が当籤役決定手段によって当籤役として決定されると、図２９，Ｓ４０５の処理によって「演出Ｆ」〜「演出Ｈ」のいずれかの演出識別子が決定される。そして、決定された演出識別子に応じて、「スイカ」の小役の単独当籤を示唆する余色法による立体視画像１１５（図４参照）や、「ＢＢ１」や「ＢＢ２」との重複当籤を示唆する余色法による立体視画像が、画像制御ＣＰＵ８１によって液晶パネル１１０に表示される（図１４（ｂ）、図２９，Ｓ４０７、図２７，Ｓ３６５参照）。このとき、同時に、扉移動手段により、赤ウィンドウ１１１および青ウィンドウ１１２が移動開始位置Ａから移動終了位置Ｂに向かって移動し、表示制御手段によって液晶パネル１１０に表示される立体視画像１１５の左側部分および右側部分が、赤ウィンドウ１１１および青ウィンドウ１１２によって遮蔽される（図４、図３０，Ｓ４１３〜Ｓ４１５参照）。このため、遊技者は、立体視画像１１５が液晶パネル１１０に表示され、かつ、赤ウィンドウ１１１および青ウィンドウ１１２が移動することを認識することで、「スイカ」の小役が当籤役として決定されていることを直ちに察知することができ、「スイカ」の小役と同時に「ＢＢ１」または「ＢＢ２」の特典役が当籤役として決定されているかもしれないという期待感を抱きながら遊技を進めることができるようになる。
【０１５３】
また、表示制御手段によって液晶パネル１１０に表示される立体視画像１１５を赤ウィンドウ１１１を介して見ると、赤色で描かれるスイカの絵柄１１３が赤ウィンドウ１１１に吸収されて視認されなくなり、青色で描かれるスイカの絵柄１１４だけが視認されるようになる。また、表示制御手段によって液晶パネル１１０に表示される立体視画像１１５を青ウィンドウ１１２を介して見ると、青色で描かれるスイカの絵柄１１４が青ウィンドウ１１２に吸収されて視認されなくなり、赤色で描かれるスイカの絵柄１１３だけが視認されるようになる。このため、遊技者は、立体視画像１１５が液晶パネル１１０に表示され、かつ、赤ウィンドウ１１１および青ウィンドウ１１２が移動することを認識したときには、左側の赤ウィンドウ１１１を介して左目で立体視画像１１５を見ると同時に、右側の青ウィンドウ１１２を介して右目で立体視画像１１５を見ることにより、左右の目に青色のスイカの絵柄１１４および赤色のスイカの絵柄１１３が映り、余色法による立体視画像１１５を立体感を得た状態で見ることができる。したがって、遊技者に対して、立体視画像１１５によるインパクトのある演出を行えるようになり、従来の遊技機のように演出が単調になってしまうことがなくなり、遊技者を遊技に長く引きつけておくことが可能になる。
【０１５４】
また、上記のインパクトのある演出表示は、遊技者が所望のときに赤ウィンドウ１１１および青ウィンドウ１１２を介して見るので、特許文献１に開示された従来の遊技機のように、遊技結果に影響を与えて遊技者が常に視認する必要がある各回転ドラムにおいて変動表示されるシンボルを用いた演出ではないため、遊技者は、演出表示を見ることで疲労がたまってしまうことがなくなり、長時間でも遊技を行えるようになる。
【０１５５】
なお、上記実施形態では、一般遊技状態において「ＢＢ１」または「ＢＢ２」と同時に当籤役として決定されることがある「スイカ」の小役が当籤役決定手段によって当籤役として決定されると、「スイカ」の小役を示唆する立体視画像１１５が液晶パネル１１０に表示され、赤ウィンドウ１１１および青ウィンドウ１１２が移動開始位置Ａから移動終了位置Ｂに向かって移動する場合を説明したが（図４，図２９，Ｓ４０５、図３０，Ｓ４１３参照）、本発明はこれに限られるものではない。
【０１５６】
例えば、メダルを消費することなく次の単位遊技を行える「リプレイ」が当籤役決定手段により当籤役として決定される確率が他の単位遊技に比べて高い単位遊技が行われる再遊技高確率発生状態、すなわちＲＴ（リプレイタイム）作動中状態を作動させる再遊技高確率発生状態作動手段を備え、
表示制御手段が、再遊技高確率発生状態作動手段によってＲＴ作動中状態が作動させられているときに「スイカ」の小役が当籤役決定手段によって当籤役として決定されると、余色法による立体視画像１１５を液晶パネル１１０に表示させる制御を行い、
扉移動手段が、再遊技高確率発生状態作動手段によってＲＴ作動中状態が作動させられているときに「スイカ」の小役が当籤役決定手段によって当籤役として決定されると、赤ウィンドウ１１１および青ウィンドウ１１２を移動開始位置Ａから移動終了位置Ｂまで移動させて、表示制御手段によって液晶パネル１１０に表示される立体視画像１１５の左側部分および右側部分を赤ウィンドウ１１１および青ウィンドウ１１２によって遮蔽する制御を行う構成に変形することも可能である。
【０１５７】
図３１は、上記の変形例によるパチスロ機において、ＲＴ作動中状態の内部抽籤処理（図１５，Ｓ７参照）で用いられるＲＴ作動中状態用内部抽籤テーブルを概念的に示す図である。
【０１５８】
同図に示すＲＴ作動中状態用内部抽籤テーブルは、メダルが３枚投入されたときに用いられる内部抽籤テーブルである。この内部抽籤テーブルでは、当籤番号１〜４，６，７には、図１０（ａ）に示す一般遊技状態用内部抽籤テーブルにおける当籤番号１〜４，６，７の下限値および上限値で表される数値範囲と同じ数値範囲が割り当てられており、当籤確率も同じである。また、「リプレイ」に対応付けられた当籤番号５には、下限値７５８９，上限値６２２０１の幅５４６１３の数値範囲が割り当てられており、当籤確率は５４６１３／６５５３６である。
【０１５９】
上記のように、ＲＴ作動中状態用内部抽籤テーブルでは、当籤番号５に対応する「リプレイ」が当籤役として決定される確率が、図１０（ａ）に示す一般遊技状態用内部抽籤テーブルに比べて約６倍に高くなっており、遊技者に有利になっている。
【０１６０】
図３２は、上記の変形例によるパチスロ機において行われる内部抽籤処理の詳細を示すフローチャートである。なお、同図において図１９に示す内部抽籤処理と同一の処理については同一のステップ番号を付してその説明は省略する。
【０１６１】
本変形例による内部抽籤処理では、Ｓ７１の処理の後で内部抽籤テーブル変更処理が行われる点（図３２，Ｓ５０１参照）が異なる以外、図１９に示す内部抽籤処理と同一の処理内容となっている。Ｓ５０１の内部抽籤テーブル変更処理では、メインＣＰＵ６４は、ＲＴ作動中状態のときに、Ｓ７１で決定した内部抽籤テーブルの種別（図１０（ａ）参照）をＲＴ作動中状態用内部抽籤テーブル（図３１参照）に変更する処理を行う。
【０１６２】
本変形例におけるＲＴ作動中状態は、例えば、ＢＢゲームの作動が終了したときや、ＲＴ作動中状態の作動を開始させるＲＴ開始役に対応するシンボルの組合せが停止表示されたときに、開始する。これらのＲＴ作動中状態の開始条件は、単数のみ採用してもよいし、複数採用してもよい。また、ＲＴ作動中状態は、例えば、ＲＴ作動中状態における遊技が所定回数行われたときや、「ＢＢ１」もしくは「ＢＢ２」の特典役が当籤役決定手段によって当籤役として決定されたとき、ＲＴ作動中状態の作動を終了させるＲＴ終了役に対応するシンボルの組合せが停止表示されたときに、終了する。これらのＲＴ作動中状態の終了条件も、単数のみ採用してもよいし、複数採用してもよい。
【０１６３】
このような本変形例によるパチスロ機によれば、再遊技高確率発生状態作動手段によってＲＴ作動中状態が作動させられているときに、「ＢＢ１」または「ＢＢ２」と同時に当籤役として決定されることがある「スイカ」の小役が当籤役決定手段によって当籤役として決定されると、余色法による立体視画像１１５が表示制御手段によって液晶パネル１１０に表示されると共に、扉移動手段により、立体視画像１１５の左側部分および右側部分が赤ウィンドウ１１１および青ウィンドウ１１２によって遮蔽される。このため、当籤役決定手段によって「リプレイ」が頻繁（図３１参照）に当籤役として決定されることで単調になりがちなＲＴ作動中状態の作動中であっても、「スイカ」の小役が当籤役として決定されたときには、赤ウィンドウ１１１および青ウィンドウ１１２を介して立体視画像１１５を立体的に見ることができるようになり、ＲＴ作動中状態における遊技の単調化が抑制されて、ＲＴ作動中状態における遊技の興趣が向上するようになる。
【０１６４】
また、上記実施形態では、第１の扉１１１および第２の扉１１２の色の組合せならびに第１の画像１１３および第２の画像１１４の色の組合せが、赤色および青色の余色関係にある場合を説明したが（図４参照）、本発明はこれに限られるものではない。第１の扉１１１および第２の扉１１２の色の組合せや、第１の画像１１３および第２の画像１１４の色の組合せは、互いに余色関係にある他の色の組合せに適宜変更可能である。
【０１６５】
また、上記実施形態では、スタートコマンドの受信時に、立体視画像１１５の表示が開始され、赤ウィンドウ１１１および青ウィンドウ１１２が移動開始位置Ａから移動終了位置Ｂまで移動し（図２８，Ｓ３８１〜Ｓ３８３参照）、表示役コマンドの受信時に、赤ウィンドウ１１１および青ウィンドウ１１２が元の移動開始位置Ａに戻り、立体視画像１１５の表示が終了する場合を説明したが（図２８，Ｓ３８４，Ｓ３８６参照）、本発明はこれに限られるものではない。立体視画像１１５の表示の開始および終了のタイミングや、赤ウィンドウ１１１および青ウィンドウ１１２の移動のタイミングは、適宜変更可能である。
【０１６６】
また、上記実施形態では、赤ウィンドウ１１１および青ウィンドウ１１２を、ウィンドウ駆動回路１１６によって駆動されるステッピングモータを用いて移動させる場合を説明したが（図６）、本発明はこれに限られるものではない。赤ウィンドウ１１１および青ウィンドウ１１２を、ステッピングモータの代わりに、ソレノイドやコイルばねなどを用いて移動させる構成とすることも可能である。
【０１６７】
また、上記実施形態では、「スイカ」の小役が単独で当籤役として決定された場合や、「ＢＢ１」または「ＢＢ２」と同時に当籤役として決定された場合、それぞれ異なる立体視画像が、決定された演出識別子Ｆ，Ｇ，Ｈに応じて液晶パネル１１０に表示される場合を説明したが（図１４（ｂ）参照）、本発明はこれに限られるものではない。「スイカ」の小役が当籤役として決定されたときには、「ＢＢ１」または「ＢＢ２」が同時に当籤役として決定されているか否かに関係なく、同じ立体視画像１１５が液晶パネル１１０に表示される構成としても構わない。
【０１６８】
また、上記実施形態では、ＢＢ１またはＢＢ２の特典役と同時に当籤役として決定されることがある所定の役が「スイカ」の小役からなる場合を説明したが（図１０（ａ）参照）、所定の役は、「スイカ」の小役以外の他の役であってもよく、適宜変更可能である。
【産業上の利用可能性】
【０１６９】
上記実施形態においては、本発明による遊技機をパチスロ機に適用した場合について説明したが、図柄表示手段により表示される図柄の変動を行う他の遊技機に本発明を同様に適用することも可能である。このような遊技機に本発明を適用した場合においても上記実施形態と同様な作用効果が奏される。
【図面の簡単な説明】
【０１７０】
【図１】本発明の一の実施形態によるパチスロ機の外観を示す正面図である。
【図２】図１に示すパチスロ機の表示窓に記された入賞ラインを示す図である。
【図３】図１に示すパチスロ機を構成するリールユニットの外観およびこのリールユニットを構成する各リールの構成を示す分解斜視図である。
【図４】図１に示すパチスロ機の液晶パネルが赤ウィンドウおよび青ウィンドウによって遮蔽された状態を示す図である。
【図５】図１に示すパチスロ機のメイン制御基板に構成された回路構成を示すブロック図である。
【図６】図１に示すパチスロ機のサブ制御基板に構成された回路構成を示すブロック図である。
【図７】図１に示すパチスロ機に用いられるシンボル配置テーブルを概念的に示す図である。
【図８】図１に示すパチスロ機に用いられるシンボル組合せテーブルを概念的に示す図である。
【図９】図１に示すパチスロ機に用いられる内部抽籤テーブル決定テーブルを概念的に示す図である。
【図１０】図１に示すパチスロ機に用いられる内部抽籤テーブルを概念的に示す図であり、（ａ）は一般遊技状態用内部抽籤テーブル、（ｂ）はＲＢ遊技状態用内部抽籤テーブルである。
【図１１】図１に示すパチスロ機に用いられる内部当籤役決定テーブルを概念的に示す図である。
【図１２】図１に示すパチスロ機に用いられるボーナス作動時テーブルを概念的に示す図である。
【図１３】図１に示すパチスロ機に用いられる内部当籤役格納領域，持越役格納領域および作動中フラグ格納領域を概念的に示す図である。
【図１４】図１に示すパチスロ機に用いられる演出決定用のテーブルを概念的に示す図であり、（ａ）は、一般遊技状態で用いられる一般遊技状態用演出決定テーブルＡ、（ｂ）は、一般遊技状態において当籤役が「スイカ」の小役であるときに用いられる一般遊技状態用演出決定テーブルＢ、（ｃ）は、ＲＢ遊技状態で用いられるＲＢ遊技状態用演出決定テーブルである。
【図１５】図１に示すパチスロ機のメインＣＰＵによる遊技処理の概略を示すフローチャートである。
【図１６】図１５に示すボーナス作動監視処理の詳細を示すフローチャートである。
【図１７】図１５に示すメダル投入・スタートチェック処理の詳細を示す第１のフローチャートである。
【図１８】図１５に示すメダル投入・スタートチェック処理の詳細を示す第２のフローチャートである。
【図１９】図１５に示す内部抽籤処理の詳細を示すフローチャートである。
【図２０】図１５に示すリール停止制御処理の詳細を示すフローチャートである。
【図２１】図１５に示すボーナス終了チェック処理の詳細を示すフローチャートである。
【図２２】図１５に示すボーナス作動チェック処理の詳細を示すフローチャートである。
【図２３】図１に示すパチスロ機のメインＣＰＵによる定期割込処理の概略を示すフローチャートである。
【図２４】図１に示すパチスロ機の電源投入時の画像制御ＣＰＵによる電源投入時処理の概略を示すフローチャートである。
【図２５】図１に示すパチスロ機の画像制御ＣＰＵによるマザータスク処理の詳細を示すフローチャートである。
【図２６】図１に示すパチスロ機の画像制御ＣＰＵによる主基板通信タスク処理の詳細を示すフローチャートである。
【図２７】図１に示すパチスロ機の画像制御ＣＰＵによる演出登録タスク処理の詳細を示すフローチャートである。
【図２８】図２７に示す演出内容決定処理の詳細を示すフローチャートである。
【図２９】図２８に示す演出抽籤処理の詳細を示すフローチャートである。
【図３０】図２８に示すウィンドウ移動処理の詳細を示すフローチャートである。
【図３１】本発明の変形例によるパチスロ機に用いられるＲＴ作動中状態用内部抽籤テーブルを概念的に示す図である。
【図３２】本発明の変形例によるパチスロ機のメインＣＰＵによる内部抽籤処理の詳細を示すフローチャートである。
【符号の説明】
【０１７１】
１…パチスロ機
２〜４…リール
５〜７…表示窓
３０…スタートレバー
３１，３２，３３…停止ボタン
６１…メイン制御基板
６２ａ，６２ｂ…サブ制御基板
６３…マイコン
６４…メインＣＰＵ
６５，８２，９１…プログラムＲＯＭ
６６，８８…制御ＲＡＭ
７１…Ｉ／Ｏポート
７９…サブ制御部通信ポート
８０ａ，８０ｂ…シリアルポート
８１…画像制御ＣＰＵ
８３，９２…ワークＲＡＭ
８６…ＶＤＰ
９０…音・ランプ制御ＣＰＵ
９８…ランプ類
９９…ＬＥＤ類
１０１，１０１…スピーカ
１１０…液晶パネル
１１１，１１２…ウィンドウ
１１１Ａ，１１２Ａ…ウィンドウ収納部
１１３…赤色のスイカの絵柄
１１４…青色のスイカの絵柄
１１５…立体視画像
１１６…ウィンドウ駆動回路
Ａ…移動開始位置
Ｂ…移動終了位置
【図１】
2009201551.tif 000003
【図２】
2009201551.tif 000004
【図３】
2009201551.tif 000005
【図４】
2009201551.tif 000006
【図５】
2009201551.tif 000007
【図６】
2009201551.tif 000008
【図７】
2009201551.tif 000009
【図８】
2009201551.tif 000010
【図９】
2009201551.tif 000011
【図１０】
2009201551.tif 000012
【図１１】
2009201551.tif 000013
【図１２】
2009201551.tif 000014
【図１３】
2009201551.tif 000015
【図１４】
2009201551.tif 000016
【図１５】
2009201551.tif 000017
【図１６】
2009201551.tif 000018
【図１７】
2009201551.tif 000019
【図１８】
2009201551.tif 000020
【図１９】
2009201551.tif 000021
【図２０】
2009201551.tif 000022
【図２１】
2009201551.tif 000023
【図２２】
2009201551.tif 000024
【図２３】
2009201551.tif 000025
【図２４】
2009201551.tif 000026
【図２５】
2009201551.tif 000027
【図２６】
2009201551.tif 000028
【図２７】
2009201551.tif 000029
【図２８】
2009201551.tif 000030
【図２９】
2009201551.tif 000031
【図３０】
2009201551.tif 000032
【図３１】
2009201551.tif 000033
【図３２】
2009201551.tif 000034